(57)【要約】【課題】測定器と出力器との間における通信が安定し、利便性の高い活動情報計を提供する。【解決手段】測定器１又は１０１及び出力器５１又は１５１の各々において、電流出力部と各電極との間、及び電圧検出部と少なくとも一つの電極との間にセレクタを配置して、適宜、通信経路を選択することによって、身体を媒体としての双方向の通信を可能とし、また、大地アースを基準電位とせずに、受信の際に基づいて基準電位を基準とした電位変化を検出し、又は大地アースを基準電位とせずに、身体部位インピーダンスに基づいて生ずる電圧を検出するもので、これよって、環境などによる影響を受けないものとした。【選択図】図１
2008211765.tif 000002
【特許請求の範囲】
【請求項１】
分離して形成し、身体を媒体として測定データ及び制御データの伝達を行う測定器と出力器とを備え、
前記測定器は、
測定データとして活動情報について測定する測定部と、
交流信号を生成する測定器用発振部と、
前記測定器用発振部で生成した交流信号を前記測定部で測定した測定データに基づいた変調信号に変調する測定器用変調部と、
前記測定器用変調部で変調した変調信号に対応した電流を出力する測定器用電流出力部と、
身体の一端部位と身体の他端部位との間の身体部位に接して、前記測定器用電流出力部で出力した電流を身体に流し、また、身体に生じた電位変化を検出する測定器用送受信電極と、
前記身体の一端部位と前記測定器用送受信電極との間の身体部位に接して、前記測定器用電流出力部で出力した電流を身体に流す測定器用送信電極と、
基準電位を有する測定器用基準電位部と、
前記測定器用基準電位部での基準電位と前記測定器用送受信電極で検出した身体に生じた電位変化とに基づく電圧を検出する測定器用電圧検出部と、
前記測定器用電圧検出部で検出した電圧を復調信号に復調する測定器用復調部と、
前記測定器用電流出力部と前記測定器用送受信電極との間の接続、又は前記測定器用電流出力部と第二セレクタとの間の接続のいずれかを選択する第一セレクタと、
前記測定器用電流出力部と前記測定器用送信電極との間の接続、又は前記測定器用電流出力部と前記第一セレクタとの間の接続のいずれかを選択する第二セレクタと、
前記測定器用送信電極と前記測定器用電圧検出部との間の接続、又は前記測定器用基準電位部と前記測定器用電圧検出部との間の接続のいずれかを選択する第六セレクタと、
制御データを受ける場合には、前記第一セレクタに対して前記測定器用電流出力部と前記第二セレクタとの間の接続を選択し、前記第二セレクタに対して前記測定器用電流出力部と前記第一セレクタとの間の接続を選択し、及び前記第六セレクタに対して前記測定器用基準電位部と前記測定器用電圧検出部との間の接続を選択するように制御し、また、測定データを送る場合には、前記測定部で測定した測定データを前記測定器用変調部に対して発行するとともに、前記第一セレクタに対して前記測定器用電流出力部と前記測定器用送受信電極との間の接続を選択し、前記第二セレクタに対して前記測定器用電流出力部と前記測定器用送信電極との間の接続を選択し、及び前記第六セレクタに対して前記測定器用送信電極と前記測定器用電圧検出部との間の接続を選択するように制御する測定器用制御部と、
を有し、
前記出力器は、
交流信号を生成する出力器用発振部と、
前記出力器用発振部で生成した交流信号を制御データに基づいた変調信号に変調する出力器用変調部と、
前記出力器用変調部で変調した変調信号に対応した電流を出力する出力器用電流出力部と、
前記身体の一端部位に接して、前記出力器用電流出力部で出力した電流を身体に流し、また、身体に生じた電位変化を検出する出力器用送受信電極と、
前記身体の他端部位に接して、前記出力器用電流出力部で出力した電流を身体に流す出力器用送信電極と、
基準電位を有する出力器用基準電位部と、
前記出力器用基準電位部での基準電位と前記出力器用送受信電極で検出した身体に生じた電位変化とに基づく電圧を検出する出力器用電圧検出部と、
前記出力器用電圧検出部で検出した電圧を復調信号に復調する出力器用復調部と、
前記出力器用電流出力部と前記出力器用送受信電極との間の接続、又は前記出力器用電流出力部と第四セレクタとの間の接続のいずれかを選択する第三セレクタと、
前記出力器用電流出力部と前記出力器用送信電極との間の接続、又は前記出力器用電流出力部と前記第三セレクタとの間の接続のいずれかを選択する第四セレクタと、
前記出力器用送信電極と前記出力器用電圧検出部との間の接続、又は前記出力器用基準電位部と前記出力器用電圧検出部との間の接続のいずれかを選択する第五セレクタと、
制御データを送る場合には、制御データを前記出力器用変調部に対して発行するとともに、前記第三セレクタに対して前記出力器用電流出力部と前記測定器用送受信電極との間の接続を選択し、前記第四セレクタに対して前記出力器用電流出力部と前記出力器用送信電極との間の接続を選択し、及び前記第五セレクタに対して前記出力器用送信電極と前記出力器用電圧検出部との間の接続を選択するように制御し、また、前記測定データを受ける場合には、前記第三セレクタに対して前記出力器用電流出力部と前記第四セレクタとの間の接続を選択し、前記第四セレクタに対して前記出力器用電流出力部と前記第三セレクタとの間の接続を選択し、及び前記第五セレクタに対して前記出力器用基準電位部と前記出力器用電圧検出部との間の接続を選択するように制御する出力器用制御部と、
前記出力器用復調部で復調した復調信号に応じた測定データを出力する出力部と、
を有する、
ことを特徴とする活動情報計。
【請求項２】
前記出力器用送信電極は複数であり、
前記出力器用送信電極の各々ごとに、前記身体の他端部位が前記出力器用送信電極に接した際に作動する開始スイッチを更に有し、
前記出力器用制御部は、制御データを送る場合には、作動した前記開始スイッチに対応した制御データを前記出力器用変調部に対して発行するとともに、前記第四セレクタに対して前記出力器用電流出力部と作動した前記開始スイッチに対応した前記出力器用送信電極との間の接続を選択し、及び前記第五セレクタに対して作動した前記開始スイッチに対応する前記出力器用送信電極と前記出力器用電圧検出部との間の接続を選択するように制御する、
ことを特徴とする請求項１記載の活動情報計。
【請求項３】
前記測定器を身体に装着した際に、前記測定器用送受信電極と前記測定器用送信電極との位置関係が反する向きとなるように、前記測定器用送受信電極と前記測定器用送信電極とを前記測定器に配置する、ことを特徴とする請求項１又は２記載の活動情報計。
【請求項４】
前記測定器を身体に装着した際に、前記測定器用送受信電極と前記測定器用送信電極との配置間距離が１０ｍｍ以上となるように、前記測定器用送受信電極と前記測定器用送信電極とを前記測定器に配置する、ことを特徴とする請求項１乃至３のうちのいずれか１項に記載の活動情報計。
【請求項５】
分離して形成し、身体を媒体として測定データ及び制御データの伝達を行う測定器と出力器とを備え、
前記測定器は、
測定データとして活動情報について測定する測定部と、
交流信号を生成する測定器用発振部と、
前記測定器用発振部で生成した交流信号を前記測定部で測定した測定データに基づいた変調信号に変調する測定器用変調部と、
前記測定器用変調部で変調した変調信号に対応した電流を出力する測定器用電流出力部と、
身体の一端部位と身体の他端部位との間の身体部位に接して、前記測定器用電流出力部で出力した電流を身体に流し、また、身体部位に生じた電位を検出する測定器用第一送受信電極と、
前記身体の一端部位と前記測定器用第一送受信電極との間の身体部位に接して、前記測定器用電流出力部で出力した電流を身体に流し、また、身体部位に生じた電位を検出する測定器用第二送受信電極と、
前記測定器用第一送受信電極で検出した身体部位に生じた電位と、前記測定器用第二送受信電極で検出した身体部位に生じた電位とに基づく電圧を検出する測定器用電圧検出部と、
前記測定器用電圧検出部で検出した電圧を復調信号に復調する測定器用復調部と、
前記測定器用電流出力部と前記測定器用第一送受信電極との間の接続、又は前記測定器用電流出力部と第二セレクタとの間の接続のいずれかを選択する第一セレクタと、
前記測定器用電流出力部と前記測定器用第二送受信電極との間の接続、又は前記測定器用電流出力部と前記第一セレクタとの間の接続のいずれかを選択する第二セレクタと、
制御データを受ける場合には、前記第一セレクタに対して前記測定器用電流出力部と前記第二セレクタとの間の接続を選択し、及び前記第二セレクタに対して前記測定器用電流出力部と前記第一セレクタとの間の接続を選択するように制御し、また、測定データを送る場合には、前記測定部で測定した測定データを前記測定器用変調部に対して発行するとともに、前記第一セレクタに対して前記測定器用電流出力部と前記測定器用第一送受信電極との間の接続を選択し、及び前記第二セレクタに対して前記測定器用電流出力部と前記測定器用第二送受信電極との間の接続を選択するように制御する測定器用制御部と、
を有し、
前記出力器は、
交流信号を生成する出力器用発振部と、
前記出力器用発振部で生成した交流信号を制御データに基づいた変調信号に変調する出力器用変調部と、
前記出力器用変調部で変調した変調信号に対応した電流を出力する出力器用電流出力部と、
前記身体の一端部位に接して、前記出力器用電流出力部で出力した電流を身体に流し、また、身体部位に生じた電位を検出する出力器用第一送受信電極と、
前記身体の他端部位に接して、前記出力器用電流出力部で出力した電流を身体に流し、また、身体部位に生じた電位を検出する出力器用第二送受信電極と、
前記出力器用第一送受信電極で検出した身体部位に生じた電位と、前記出力器用第二送受信電極で検出した身体部位に生じた電位とに基づく電圧を検出する出力器用電圧検出部と、
前記出力器用電圧検出部で検出した電圧を復調信号に復調する出力器用復調部と、
前記出力器用電流出力部と前記出力器用第一送受信電極との間の接続、又は前記出力器用電流出力部と第四セレクタとの間の接続のいずれかを選択する第三セレクタと、
前記出力器用電流出力部と前記出力器用第二送受信電極との間の接続、又は前記出力器用電流出力部と前記第三セレクタとの間の接続のいずれかを選択する第四セレクタと、
前記出力器用第一送受信電極と前記出力器用電圧検出部との間の接続、又は前記出力器用電圧検出部と第六セレクタの間の接続のいずれかを選択する第五セレクタと、
前記出力器用第二送受信電極と前記出力器用電圧検出部との間の接続、又は前記出力器用電圧検出部と前記第五セレクタの間の接続のいずれかを選択する前記第六セレクタと、
制御データを送る場合には、制御データを前記出力器用変調部に対して発行するとともに、前記第三セレクタに対して前記出力器用電流出力部と前記測定器用第一送受信電極との間の接続を選択し、前記第四セレクタに対して前記出力器用電流出力部と前記出力器用第二送受信電極との間の接続を選択し、前記第五セレクタに対して前記出力器用第一送受信電極と前記出力器用電圧検出部との間の接続を選択し、及び前記第六セレクタに対して前記出力器用第二送受信電極と前記出力器用電圧検出部との間の接続を選択するように制御し、また、測定データを受ける場合には、前記第三セレクタに対して前記出力器用電流出力部と前記第四セレクタとの間の接続を選択し、前記第四セレクタに対して前記出力器用電流出力部と前記第三セレクタとの間の接続を選択し、前記第五セレクタに対して前記出力器用第一送受信電極と前記出力器用電圧検出部との間の接続を選択し、及び前記第六セレクタに対して前記出力器用第二送受信電極と前記出力器用電圧検出部との間の接続を選択するように制御する出力器用制御部と、
前記出力器用復調部で復調した復調信号に応じた測定データを出力する出力部と、
を有する、
ことを特徴とする活動情報計。
【請求項６】
前記出力器用第二送受信電極は複数であり、
前記出力器用第二送受信電極の各々ごとに、前記身体の他端部位が前記出力器用第二送受信電極に接した際に作動する開始スイッチを更に有し、
前記出力器用制御部は、制御データを送る場合には、作動した前記開始スイッチに対応した制御データを前記出力器用変調部に対して発行するとともに、前記第四セレクタに対して前記出力器用電流出力部と作動した前記開始スイッチに対応した前記出力器用第二送受信電極との間の接続を選択し、及び前記第六セレクタに対して作動した前記開始スイッチに対応する前記出力器用第二送受信電極と前記出力器用電圧検出部との間の接続を選択するように制御し、また、測定データを受ける場合には、前記第四セレクタに対して前記出力器用電流出力部と前記第三セレクタとの間の接続を選択し、及び前記第六セレクタに対して作動した前記開始スイッチに対応する前記出力器用第二送受信電極と前記出力器用電圧検出部との間の接続を選択するように制御する、
ことを特徴とする請求項５記載の活動情報計。
【請求項７】
前記測定器を身体に装着した際に、前記測定器用第一送受信電極と前記測定器用第二送受信電極との位置関係が反する向きとなるように、前記測定器用第一送受信電極と前記測定器用第二送受信電極とを前記測定器に配置する、ことを特徴とする請求項５又は６記載の活動情報計。
【請求項８】
前記測定器を身体に装着した際に、前記測定器用第一送受信電極と前記測定器用第二送受信電極との配置間距離が１０ｍｍ以上となるように、前記測定器用第一送受信電極と前記測定器用第二送受信電極とを前記測定器に配置する、ことを特徴とする請求項５乃至７のうちのいずれか１項に記載の活動情報計。
【発明の詳細な説明】
【技術分野】
【０００１】
本発明は、活動情報について測定する測定器とこの測定記録した活動情報について利用者に対して出力する出力器との間における通信について、身体を媒体として行う活動情報計に関する。
【背景技術】
【０００２】
活動情報について測定する測定器とこの測定した活動情報について利用者に対して出力する出力器とが一体構造となった活動情報計は、大きくて重いものとなってしまう。そこで、活動情報計は、測定器と出力器とを別体構造にして、大きさと重さを分散することによって、小型軽量化を図ることが考えられる。そして、別体構造となった活動情報計を達成するためには、測定器と出力器との間における通信技術として、特許文献１、２又は３に開示される静電又は電磁誘導を利用した間接伝送方式や、特許文献４又は５に開示される生体に微小電流を流して異なる地点での電位変化を検出する直接伝送方式を用いることによって可能となる。
【特許文献１】特開平１０−２２９３５７号公報
【特許文献２】特開平１０−２２８５２４号公報
【特許文献３】特開２００３−５５７号公報
【特許文献４】特開２００３−１４３０８６号公報
【特許文献５】特開２００１−７７７３５号公報
【発明の開示】
【発明が解決しようとする課題】
【０００３】
しかしながら、測定器と出力器との間における通信技術として、上述した特許文献に開示される間接伝送方式を用いると、基準電位として大地グランドを用いるために、体が動いていたり、周囲の環境が変化したりすると電位が安定せず、通信状態が断続的に途切れるといった問題があった。また、上述した特許文献に開示される直接伝送方式を用いると、データ受信装置と大地アースとが結合するものであるために、データの伝送がデータ送信装置からデータ受信装置への送信方向だけしか行うことができないなど実用上不便な制約を受けるといった問題があった。
【０００４】
そこで、本発明は、上記のような従来の問題点を解決することを目的とするもので、測定器と出力器との間における通信が安定し、利便性の高い活動情報計を提供することを課題とする。
【課題を解決するための手段】
【０００５】
一つの観点によると、本発明の活動情報計は、分離して形成し、身体を媒体として測定データ及び制御データの伝達を行う測定器と出力器とを備え、前記測定器は、測定データとして活動情報について測定する測定部と、交流信号を生成する測定器用発振部と、前記測定器用発振部で生成した交流信号を前記測定部で測定した測定データに基づいた変調信号に変調する測定器用変調部と、前記測定器用変調部で変調した変調信号に対応した電流を出力する測定器用電流出力部と、身体の一端部位と身体の他端部位との間の身体部位に接して、前記測定器用電流出力部で出力した電流を身体に流し、また、身体に生じた電位変化を検出する測定器用送受信電極と、前記身体の一端部位と前記測定器用送受信電極との間の身体部位に接して、前記測定器用電流出力部で出力した電流を身体に流す測定器用送信電極と、基準電位を有する測定器用基準電位部と、前記測定器用基準電位部での基準電位と前記測定器用送受信電極で検出した身体に生じた電位変化とに基づく電圧を検出する測定器用電圧検出部と、前記測定器用電圧検出部で検出した電圧を復調信号に復調する測定器用復調部と、前記測定器用電流出力部と前記測定器用送受信電極との間の接続、又は前記測定器用電流出力部と第二セレクタとの間の接続のいずれかを選択する第一セレクタと、前記測定器用電流出力部と前記測定器用送信電極との間の接続、又は前記測定器用電流出力部と前記第一セレクタとの間の接続のいずれかを選択する第二セレクタと、前記測定器用送信電極と前記測定器用電圧検出部との間の接続、又は前記測定器用基準電位部と前記測定器用電圧検出部との間の接続のいずれかを選択する第六セレクタと、制御データを受ける場合には、前記第一セレクタに対して前記測定器用電流出力部と前記第二セレクタとの間の接続を選択し、前記第二セレクタに対して前記測定器用電流出力部と前記第一セレクタとの間の接続を選択し、及び前記第六セレクタに対して前記測定器用基準電位部と前記測定器用電圧検出部との間の接続を選択するように制御し、また、測定データを送る場合には、前記測定部で測定した測定データを前記測定器用変調部に対して発行するとともに、前記第一セレクタに対して前記測定器用電流出力部と前記測定器用送受信電極との間の接続を選択し、前記第二セレクタに対して前記測定器用電流出力部と前記測定器用送信電極との間の接続を選択し、及び前記第六セレクタに対して前記測定器用送信電極と前記測定器用電圧検出部との間の接続を選択するように制御する測定器用制御部と、を有し、前記出力器は、交流信号を生成する出力器用発振部と、前記出力器用発振部で生成した交流信号を制御データに基づいた変調信号に変調する出力器用変調部と、前記出力器用変調部で変調した変調信号に対応した電流を出力する出力器用電流出力部と、前記身体の一端部位に接して、前記出力器用電流出力部で出力した電流を身体に流し、また、身体に生じた電位変化を検出する出力器用送受信電極と、前記身体の他端部位に接して、前記出力器用電流出力部で出力した電流を身体に流す出力器用送信電極と、基準電位を有する出力器用基準電位部と、前記出力器用基準電位部での基準電位と前記出力器用送受信電極で検出した身体に生じた電位変化とに基づく電圧を検出する出力器用電圧検出部と、前記出力器用電圧検出部で検出した電圧を復調信号に復調する出力器用復調部と、前記出力器用電流出力部と前記出力器用送受信電極との間の接続、又は前記出力器用電流出力部と第四セレクタとの間の接続のいずれかを選択する第三セレクタと、前記出力器用電流出力部と前記出力器用送信電極との間の接続、又は前記出力器用電流出力部と前記第三セレクタとの間の接続のいずれかを選択する第四セレクタと、前記出力器用送信電極と前記出力器用電圧検出部との間の接続、又は前記出力器用基準電位部と前記出力器用電圧検出部との間の接続のいずれかを選択する第五セレクタと、制御データを送る場合には、制御データを前記出力器用変調部に対して発行するとともに、前記第三セレクタに対して前記出力器用電流出力部と前記測定器用送受信電極との間の接続を選択し、前記第四セレクタに対して前記出力器用電流出力部と前記出力器用送信電極との間の接続を選択し、及び前記第五セレクタに対して前記出力器用送信電極と前記出力器用電圧検出部との間の接続を選択するように制御し、また、前記測定データを受ける場合には、前記第三セレクタに対して前記出力器用電流出力部と前記第四セレクタとの間の接続を選択し、前記第四セレクタに対して前記出力器用電流出力部と前記第三セレクタとの間の接続を選択し、及び前記第五セレクタに対して前記出力器用基準電位部と前記出力器用電圧検出部との間の接続を選択するように制御する出力器用制御部と、前記出力器用復調部で復調した復調信号に応じた測定データを出力する出力部と、を有する、ことを特徴とする。
【０００６】
また、この観点の一つの形態によると、前記出力器用送信電極は複数であり、前記出力器用送信電極の各々ごとに、前記身体の他端部位が前記出力器用送信電極に接した際に作動する開始スイッチを更に有し、前記出力器用制御部は、制御データを送る場合には、作動した前記開始スイッチに対応した制御データを前記出力器用変調部に対して発行するとともに、前記第四セレクタに対して前記出力器用電流出力部と作動した前記開始スイッチに対応した前記出力器用送信電極との間の接続を選択し、及び前記第五セレクタに対して作動した前記開始スイッチに対応する前記出力器用送信電極と前記出力器用電圧検出部との間の接続を選択するように制御する、ことを特徴とする。
【０００７】
更に、この観点の一つの形態によると、前記測定器を身体に装着した際に、前記測定器用送受信電極と前記測定器用送信電極との位置関係が反する向きとなるように、前記測定器用送受信電極と前記測定器用送信電極とを前記測定器に配置する、ことを特徴とする。
【０００８】
更に、この観点の別の形態によると、前記測定器を身体に装着した際に、前記測定器用送受信電極と前記測定器用送信電極との配置間距離が１０ｍｍ以上となるように、前記測定器用送受信電極と前記測定器用送信電極とを前記測定器に配置する、ことを特徴とする。
【０００９】
また、別の観点によると、本発明の活動情報計は、分離して形成し、身体を媒体として測定データ及び制御データの伝達を行う測定器と出力器とを備え、前記測定器は、測定データとして活動情報について測定する測定部と、交流信号を生成する測定器用発振部と、前記測定器用発振部で生成した交流信号を前記測定部で測定した測定データに基づいた変調信号に変調する測定器用変調部と、前記測定器用変調部で変調した変調信号に対応した電流を出力する測定器用電流出力部と、身体の一端部位と身体の他端部位との間の身体部位に接して、前記測定器用電流出力部で出力した電流を身体に流し、また、身体部位に生じた電位を検出する測定器用第一送受信電極と、前記身体の一端部位と前記測定器用第一送受信電極との間の身体部位に接して、前記測定器用電流出力部で出力した電流を身体に流し、また、身体部位に生じた電位を検出する測定器用第二送受信電極と、前記測定器用第一送受信電極で検出した身体部位に生じた電位と、前記測定器用第二送受信電極で検出した身体部位に生じた電位とに基づく電圧を検出する測定器用電圧検出部と、前記測定器用電圧検出部で検出した電圧を復調信号に復調する測定器用復調部と、前記測定器用電流出力部と前記測定器用第一送受信電極との間の接続、又は前記測定器用電流出力部と第二セレクタとの間の接続のいずれかを選択する第一セレクタと、前記測定器用電流出力部と前記測定器用第二送受信電極との間の接続、又は前記測定器用電流出力部と前記第一セレクタとの間の接続のいずれかを選択する第二セレクタと、制御データを受ける場合には、前記第一セレクタに対して前記測定器用電流出力部と前記第二セレクタとの間の接続を選択し、及び前記第二セレクタに対して前記測定器用電流出力部と前記第一セレクタとの間の接続を選択するように制御し、また、測定データを送る場合には、前記測定部で測定した測定データを前記測定器用変調部に対して発行するとともに、前記第一セレクタに対して前記測定器用電流出力部と前記測定器用第一送受信電極との間の接続を選択し、及び前記第二セレクタに対して前記測定器用電流出力部と前記測定器用第二送受信電極との間の接続を選択するように制御する測定器用制御部と、を有し、前記出力器は、交流信号を生成する出力器用発振部と、前記出力器用発振部で生成した交流信号を制御データに基づいた変調信号に変調する出力器用変調部と、前記出力器用変調部で変調した変調信号に対応した電流を出力する出力器用電流出力部と、前記身体の一端部位に接して、前記出力器用電流出力部で出力した電流を身体に流し、また、身体部位に生じた電位を検出する出力器用第一送受信電極と、前記身体の他端部位に接して、前記出力器用電流出力部で出力した電流を身体に流し、また、身体部位に生じた電位を検出する出力器用第二送受信電極と、前記出力器用第一送受信電極で検出した身体部位に生じた電位と、前記出力器用第二送受信電極で検出した身体部位に生じた電位とに基づく電圧を検出する出力器用電圧検出部と、前記出力器用電圧検出部で検出した電圧を復調信号に復調する出力器用復調部と、前記出力器用電流出力部と前記出力器用第一送受信電極との間の接続、又は前記出力器用電流出力部と第四セレクタとの間の接続のいずれかを選択する第三セレクタと、前記出力器用電流出力部と前記出力器用第二送受信電極との間の接続、又は前記出力器用電流出力部と前記第三セレクタとの間の接続のいずれかを選択する第四セレクタと、前記出力器用第一送受信電極と前記出力器用電圧検出部との間の接続、又は前記出力器用電圧検出部と第六セレクタの間の接続のいずれかを選択する第五セレクタと、前記出力器用第二送受信電極と前記出力器用電圧検出部との間の接続、又は前記出力器用電圧検出部と前記第五セレクタの間の接続のいずれかを選択する前記第六セレクタと、制御データを送る場合には、制御データを前記出力器用変調部に対して発行するとともに、前記第三セレクタに対して前記出力器用電流出力部と前記測定器用第一送受信電極との間の接続を選択し、前記第四セレクタに対して前記出力器用電流出力部と前記出力器用第二送受信電極との間の接続を選択し、前記第五セレクタに対して前記出力器用第一送受信電極と前記出力器用電圧検出部との間の接続を選択し、及び前記第六セレクタに対して前記出力器用第二送受信電極と前記出力器用電圧検出部との間の接続を選択するように制御し、また、測定データを受ける場合には、前記第三セレクタに対して前記出力器用電流出力部と前記第四セレクタとの間の接続を選択し、前記第四セレクタに対して前記出力器用電流出力部と前記第三セレクタとの間の接続を選択し、前記第五セレクタに対して前記出力器用第一送受信電極と前記出力器用電圧検出部との間の接続を選択し、及び前記第六セレクタに対して前記出力器用第二送受信電極と前記出力器用電圧検出部との間の接続を選択するように制御する出力器用制御部と、前記出力器用復調部で復調した復調信号に応じた測定データを出力する出力部と、を有する、ことを特徴とする。
【００１０】
また、この別の観点の一つの形態によると、前記出力器用第二送受信電極は複数であり、前記出力器用第二送受信電極の各々ごとに、前記身体の他端部位が前記出力器用第二送受信電極に接した際に作動する開始スイッチを更に有し、前記出力器用制御部は、制御データを送る場合には、作動した前記開始スイッチに対応した制御データを前記出力器用変調部に対して発行するとともに、前記第四セレクタに対して前記出力器用電流出力部と作動した前記開始スイッチに対応した前記出力器用第二送受信電極との間の接続を選択し、及び前記第六セレクタに対して作動した前記開始スイッチに対応する前記出力器用第二送受信電極と前記出力器用電圧検出部との間の接続を選択するように制御し、また、測定データを受ける場合には、前記第四セレクタに対して前記出力器用電流出力部と前記第三セレクタとの間の接続を選択し、及び前記第六セレクタに対して作動した前記開始スイッチに対応する前記出力器用第二送受信電極と前記出力器用電圧検出部との間の接続を選択するように制御する、ことを特徴とする。
【００１１】
更に、この別の観点の一つの形態によると、前記測定器を身体に装着した際に、前記測定器用第一送受信電極と前記測定器用第二送受信電極との位置関係が反する向きとなるように、前記測定器用第一送受信電極と前記測定器用第二送受信電極とを前記測定器に配置する、ことを特徴とする。
【００１２】
更に、この別の観点の別の形態によると、前記測定器を身体に装着した際に、前記測定器用第一送受信電極と前記測定器用第二送受信電極との配置間距離が１０ｍｍ以上となるように、前記測定器用第一送受信電極と前記測定器用第二送受信電極とを前記測定器に配置する、ことを特徴とする。
【発明の効果】
【００１３】
一つの観点の活動情報計によると、測定器が、測定器用電流出力部と測定器用送受信電極及び第二セレクタとの間に第一セレクタを、測定器用電流出力部と測定器用送信電極及び第一セレクタとの間に第二セレクタを、測定器用送信電極と測定器用電圧検出部及び測定器用基準電位部との間に第六セレクタを配置し、測定器用基準電位部で基準電位を有するものであり、出力器が、出力器用電流出力部と出力器用送受信電極及び第四セレクタとの間に第三セレクタを、出力器用電流出力部と出力器用送信電極及び第三セレクタとの間に第四セレクタを、出力器用送信電極と出力器用電圧検出部及び出力器用基準電位部との間に第五セレクタを配置し、出力器用基準電位部で基準電位を有するものであって、第一セレクタ、第二セレクタ及び第六セレクタが受信モードの接続関係にあるときに、第四セレクタ、第三セレクタ及び第五セレクタが送信モードの接続関係となって出力器から測定器に制御データを送り、第四セレクタ、第三セレクタ及び第五セレクタが受信モードの接続関係にあるときに、第一セレクタ、第二セレクタ及び第六セレクタが送信モードの接続関係となって測定器から出力器に測定データを送ることから、環境による影響が受けにくい安定した通信が可能で、双方向に通信をできるといった利便性の高いものとなる。
【００１４】
また、出力器用送信電極と開始スイッチとの組を複数有して、制御データを送る場合に、第四セレクタが出力器用電流出力部と作動した開始スイッチに対応した出力器用送信電極との間の接続を選択し、及び第五セレクタが作動した開始スイッチに対応する出力器用送信電極と出力器用電圧検出部との間の接続を選択することから、多く種類の測定データの中から必要とする特定の測定データだけについて知ることが可能となり、より利便性の高いものとなる。
【００１５】
更に、測定器を身体に装着した際に、測定器用送受信電極と測定器用送信電極との位置関係が反する向きとなることから、発汗や毛細血管による影響で通電を起こし、通信状態に支障をきたす可能性を防止することができる。
【００１６】
更に、測定器を身体に装着した際に、測定器用送受信電極と測定器用送信電極との配置間距離が１０ｍｍ以上となることから、発汗や毛細血管による影響で通電を起こし、通信状態に支障をきたす可能性を防止することができる。
【００１７】
また、別の観点の活動情報計によると、測定器が、測定器用電流出力部と測定器用第一送受信電極及び第二セレクタとの間に第一セレクタを、測定器用電流出力部と測定器用第二送受信電極及び第一セレクタとの間に第二セレクタを配置し、出力器が、出力器用電流出力部と出力器用第一送受信電極及び第四セレクタとの間に第三セレクタを、出力器用電流出力部と出力器用第二送受信電極及び第三セレクタとの間に第四セレクタを、出力器用第一送受信電極と出力器用電圧検出部及び第六セレクタとの間に第五セレクタを、出力器用第二送受信電極と出力器用電圧検出部及び第五セレクタとの間に第六セレクタを配置し、第一セレクタ及び第二セレクタが受信モードの接続関係にあるときに、第三セレクタ、第四セレクタ、第五セレクタ及び第六セレクタが送信モードの接続関係となって出力器から測定器に制御データを送り、第三セレクタ、第四セレクタ、第五セレクタ及び第六セレクタが受信モードの接続関係にあるときに、第一セレクタ及び第二セレクタが送信モードの接続関係となって測定器から出力器に測定データを送ることから、環境による影響が受けにくい安定した通信が可能で、双方向に通信をできるといった利便性の高いものとなる。
【００１８】
また、出力器用送信電極と開始スイッチとの組を複数有して、制御データを送る場合に、第四セレクタが出力器用電流出力部と作動した開始スイッチに対応した出力器用送信電極との間の接続を選択し、及び第五セレクタが作動した開始スイッチに対応する出力器用送信電極と出力器用電圧検出部との間の接続を選択し、また、測定データを受ける場合には、第四セレクタが出力器用電流出力部と第三セレクタとの間の接続を選択し、及び第六セレクタが作動した開始スイッチに対応する出力器用第二送受信電極と出力器用電圧検出部との間の接続を選択することから、多く種類の測定データの中から必要とする特定の測定データだけについて知ることが可能となり、より利便性の高いものとなる。
【００１９】
更に、測定器を身体に装着した際に、測定器用第一送受信電極と測定器用第二送受信電極との位置関係が反する向きとなることから、発汗や毛細血管による影響で通電を起こし、通信状態に支障をきたす可能性を防止することができる。
【００２０】
更に、測定器を身体に装着した際に、測定器用第一送受信電極と測定器用第二送受信電極との配置間距離が１０ｍｍ以上となることから、発汗や毛細血管による影響で通電を起こし、通信状態に支障をきたす可能性を防止することができる。
【発明を実施するための最良の形態】
【００２１】
本発明の活動情報計は、活動情報について測定記録する測定器とこの測定した活動情報について利用者（被験者）に対して出力する出力器とに別体を成し、出力器から測定器へ、かつ測定器から出力器へと身体を媒体としてデータの伝達が行えるように、セレクタを要所に配置することによって、通信経路を選択するもので、これよって、身体を媒体としての双方向の通信を可能とした。また、大地アースを基準電位とせずに、受信の際に基準電位を基準とした電位変化を検出し、又は大地アースを基準電位とせずに、身体部位インピーダンスに基づいて生ずる電圧を検出するもので、これよって、環境などによる影響を受けないものとした。
【００２２】
以下、実施例について図面を参照して詳細に説明する。
【実施例１】
【００２３】
実施例１においては、出力器又は測定器が受信の際に基準電位を基準とした電位変化を検出する態様の活動情報計について図１乃至図１０を用いて詳述する。
【００２４】
図１は活動情報計における測定器の外観を示す外観図である。図１に示すように、実施例１における活動情報計は、分離して形成し、身体を媒体として測定データ及び制御データの伝達を行う測定器１と出力器５１とによって構成し、腕５０１に装着して用いるものである。
【００２５】
測定器１の構成について詳述する。
【００２６】
図２は実施例１としての活動情報計における測定器の構成を示すブロック図である。図１又は図２に示すように測定器１は、大別すると、ケース２と、腕５０１における左上腕に巻きつけることによってこのケース２を装着させるためのバンド３とによって構成し、活動情報（測定データ）として脈拍数と移動速度とを測定し、出力器５１と通信を行う。
【００２７】
ケース２には、その外面に、電源スイッチ４及びブザー５を備え、また、その内部に、電子基板上に設けられた電力供給部６、加速度センサ７、記憶部９、発振部１０、変調部１１、電流出力部１２、基準電位部１３、第一セレクタ１４、第二セレクタ１５、第六セレクタ１６、電圧検出部１７、復調部１８及びマイクロコントローラ２１を備える。
【００２８】
バンド３には、その装着面に、第一電極１９、第二電極２０及び脈拍センサ８を備える。
【００２９】
ここで、これら測定器１におけるケース２及びバンド３に備わる各部について詳述する。
【００３０】
電力供給部６は、電気系統各部（電源スイッチ４、ブザー５、加速度センサ７、脈拍センサ８、記憶部９、発振部１０、変調部１１、電流出力部１２、基準電位部１３、第一電極１９、第二電極２０、第一セレクタ１４、第二セレクタ１５、第六セレクタ１６、電圧検出部１７、復調部１８、マイクロコントローラ２１）に対して電力を供給する。
【００３１】
電源スイッチ４は、スライド式によるもので、電力供給部６から電気系統各部に対する電力供給の開始を行う。
【００３２】
ブザー５は、測定データの送信できない可能性のある状態の場合に警告音を発生する。
【００３３】
脈拍センサ８は、圧電式によるもので、この圧電素子により圧脈波を検出する。
【００３４】
加速度センサ７は、半導体ピエゾ抵抗式によるもので、被験者５００が活動している時における加速度を検出する。
【００３５】
記憶部９は、脈拍センサ８で検出した圧脈波に基づいてマイクロコントローラ２１で求めた脈拍数と、加速度センサ７で検出した加速度に基づいてマイクロコントローラ２１で求めた移動速度とをサンプリング毎に順次記憶する。また、マイクロコントローラ２１おいて処理した演算・制御・計時などの諸情報について記憶する。
【００３６】
発振部１０は、交流信号（例えば、１０ＭＨｚの搬送波）を生成する。
【００３７】
変調部１１は、発振部１０で生成した交流信号を記憶部９で記憶した測定データに基づいた変調信号に変調する。より具体的には、変調は、３８,４００ｂｐｓの振幅偏移変調（ASK：Amplitude shift keying）によるシンボル１とシンボル０との組み合わせを基本に、データビット１の場合にはシンボル１１０、データビット０の場合にはシンボル１００とするものである。そして、変調信号は、マイクロコントローラ２１で発行したパケット形式（例えば、メーカＩＤ、製品ＩＤ、コマンド（４４Ｈ）、データ長、データ、チェックサム）による測定データに基づくものである。
【００３８】
電流出力部１２は、変調部１１で変調した変調信号に対応した電流（例えば、シンボル１の時：３００ｍＡ、シンボル０の時：０ｍＡ）を出力する。なお、シンボル１の時に流す電流を３００ｍＡとするのは、身体に悪い影響を与えずに、ノイズなどの影響を受けにくい大きな信号で検出可能とするためである。
【００３９】
第一電極１９は、バンド３を左上腕に装着した際に、肩側寄りに位置するように、バンド３の装着面に配置する。そして、第一電極１９は、送受信電極（送信・受信兼用の電極）２３であり、出力器側の電流出力部１２から身体に電流を流している際に身体に生じる電位変化を検出したり、第二電極２０と協同することによって電流出力部１２により出力された電流を身体に流したりする。
【００４０】
第二電極２０は、バンド３を左上腕に装着した際に、肘側寄りに位置するように、バンド３の装着面に配置する。そして、第二電極２０は、送信電極（送信専用の電極）２４であり、第一電極１９と協同することによって電流出力部１２により出力された電流を身体に流す。
【００４１】
なお、第一電極１９と第二電極２０とは、図２０（ａ）に示すように、通信の向き（腕の長手方向）Ｌに、１０ｍｍ以上離した距離（配置間距離ｄ）にて配置する。発汗や毛細血管による影響で通電を起こし、通信状態に支障をきたす可能性があるためである。なお、上腕への装着が容易にできる測定器１の大きさを考慮すると、配置間距離ｄは３０ｍｍ程度とすることが好ましい。
【００４２】
基準電位部１３は、基準電位を有する。
【００４３】
電圧検出部１７は、基準電位部１３での基準電位と、第一電極１９で検出した身体に生じた電位変化とに基づく電圧を検出する。
【００４４】
復調部１８は、電圧検出部１７で検出した電圧を復調信号に復調する。
【００４５】
第一セレクタ１４は、電流出力部１２と第一電極１９との間の接続、又は電流出力部１２と第二セレクタ１５との間の接続のいずれかを選択する。
【００４６】
第二セレクタ１５は、電流出力部１２と第二電極２０との間の接続、又は電流出力部１２と第一セレクタ１４との間の接続のいずれかを選択する。
【００４７】
第六セレクタ１６は、第二電極２０と電圧検出部１７との間の接続、又は基準電位部１３と電圧検出部１７との間の接続のいずれかを選択する。
【００４８】
マイクロコントローラ２１は、記憶部、計時部、演算部、制御部を備え、次のi）〜v）を含んだ各種の演算・判定・記憶などに関する制御などの処理を行う。
i）脈拍センサ８に対して圧脈波の検出を制御し、検出した圧脈波に基づいて脈拍数を演算し、記憶部９に対して測定データとして演算した脈拍数の記憶を制御する。
ii）加速度センサ７に対して加速度の検出を制御し、検出した加速度に基づいて移動速度を演算し、記憶部９に対して測定データとして演算した移動速度の記憶を制御する。
iii）制御データ（測定データを送るように要求するデータ又は測定器に対して各種の制御を行うためのデータ）を受信した時に、発振部１０に対して交流信号の生成を制御する。
iv）測定データを変調部１１に対して発行する。なお、測定データは、パケット形式（例えば、メーカＩＤ、製品ＩＤ、コマンド（４４Ｈ）、データ長、データ、チェックサム）にて発行する。
v）制御データを受ける場合（受信モードの場合）には、第一セレクタ１４に対して電流出力部１２と第二セレクタ１５との間の接続を選択し、第二セレクタ１５に対して電流出力部１２と第一セレクタ１４との間の接続を選択し、及び第六セレクタ１６に対して基準電位部１３と電圧検出部１７との間の接続を選択するように制御する。また、測定データを送る場合（送信モードの場合）には、第一セレクタ１４に対して電流出力部１２と第一電極１９との間の接続を選択し、第二セレクタ１５に対して電流出力部１２と第二電極２０との間の接続を選択し、及び第六セレクタ１６に対して第二電極２０と電圧検出部１７との間の接続を選択するように制御する。
【００４９】
なお、上記において、脈拍センサ８、加速度センサ７、記憶部９及びマイクロコントローラ２１により、活動情報として脈拍数と移動速度とを測定する測定部２２を構成する。
【００５０】
次に、出力器５１の構成について詳述する。
【００５１】
図３は実施例１としての活動情報計における出力器の構成を示すブロック図である。図１又は図３に示すように出力器５１は、大別すると、ケース５２と、腕５０１における左手首に巻きつけることによってこのケース５２を装着させるためのバンド５３とによって構成し、普段は時間情報を表示し、被験者５００が知りたいときに、活動情報として脈拍数と移動速度とを通信により取得して表示する。
【００５２】
ケース５２には、その外面に、入力部５７、表示部５６、第四電極５４、第五電極５５、第一スイッチ５８及び第二スイッチ５９を備え、また、その内部に、電子基板上に設けられた電力供給部６０、発振部６１、変調部６２、電流出力部６３、基準電位部６４、第三セレクタ６６、第四セレクタ６５、第五セレクタ６７、電圧検出部６８、復調部６９及びマイクロコントローラ７０を備える。
【００５３】
バンド５３には、その装着面に、第三電極７１を備える。
【００５４】
ここで、これら出力器５１におけるケース５２及びバンド５３に備わる各部について詳述する。
【００５５】
電力供給部６０は、電気系統各部（入力部５７、表示部５６、発振部６１、変調部６２、電流出力部６３、基準電位部６４、第三電極７１、第四電極５４、第五電極５５、第一スイッチ５８、第二スイッチ５９、第三セレクタ６６、第四セレクタ６５、第五セレクタ６７、電圧検出部６８、復調部６９、マイクロコントローラ７０）に対して電力を供給する。
【００５６】
入力部５７は、４個のスイッチから成り、時間情報（時刻）を入力する。
【００５７】
表示部５６は、ＬＣＤ（Liquid Crystal Display：液晶表示装置）によるもので、時間情報（時刻）、測定データ（脈拍数又は移動速度）について表示する。
【００５８】
発振部６１は、交流信号（例えば、１０ＭＨｚの搬送波）を生成する。
【００５９】
変調部６２は、発振部６１で生成した交流信号を制御データに基づいた変調信号に変調する。ここで、変調は、３８,４００ｂｐｓの振幅偏移変調によるシンボル１とシンボル０との組み合わせを基本に、データビット１の場合にはシンボル１１０、データビット０の場合にはシンボル１００とするものである。そして、変調信号は、マイクロコントローラ７０で発行したパケット形式（例えば、メーカＩＤ、製品ＩＤ、コマンド（４４Ｈ）、データ長（０１Ｈ）、データ（０１Ｈ，０２Ｈ）、チェックサム）による制御データに基づくものである。
【００６０】
電流出力部６３は、変調部６２で変調した変調信号に対応した電流（例えば、シンボル１の時：３００ｍＡ、シンボル０の時：０ｍＡ）を出力する。
【００６１】
第三電極７１は、バンド５３を左手首に装着した際に、バンド５３の装着面に配置する。そして、第三電極７１は、送受信電極（送信・受信兼用の電極）７４であり、測定器側の電流出力部６３から身体に電流を流している際に身体に生じる電位変化を検出したり、第四電極５４又は第五電極５５と協同することによって電流出力部６３により出力された電流を身体に流したりする。
【００６２】
第四電極５４及び第五電極５５は、バンド５３を手首に装着した際に、バンド５３の表示面（手首と接触しない箇所）に配置する。そして、第四電極５４及び第五電極５５は、送信電極（送信専用の電極）７５であり、第三電極７１と協同することによって、電流出力部６３により出力された電流を身体に流す。
【００６３】
第一スイッチ５８は、第四電極５４の下側に配置し、被験者５００の右手が第四電極５４に接すると作動する。第二スイッチ５９は、第五電極５５の下側に配置し、被験者５００の右手が第五電極５５に接すると作動する。
【００６４】
基準電位部６４は、基準電位を有する。
【００６５】
電圧検出部６８は、基準電位部６４での基準電位と、第三電極７１で検出した身体に生じた電位変化と基づく電圧を検出する。
【００６６】
復調部６９は、電圧検出部６８で検出した電圧を復調信号に復調する。
【００６７】
第三セレクタ６６は、電流出力部６３と第三電極７１との間の接続、又は電流出力部６３と第四セレクタ６５との間の接続のいずれかを選択する。
【００６８】
第四セレクタ６５は、電流出力部６３と第四電極５４又は第五電極５５との間の接続、又は電流出力部６３と第三セレクタ６６との間の接続のいずれかを選択する。
【００６９】
第五セレクタ６７は、第四電極５４又は第五電極５５と電圧検出部６８との間の接続、又は基準電位部６４と電圧検出部６８との間の接続のいずれかを選択する。
【００７０】
マイクロコントローラ７０は、記憶部、計時部、演算部、制御部を備え、次のi）〜v）を含んだ各種の入力・演算・判定・記憶・表示などに関する制御などの処理を行う。
i）測定データを受信した時に、発振部６１に対して交流信号の生成を制御する。
ii）第一スイッチ５８又は第二スイッチ５９のいずれが作動したかを判定して、制御データ（測定データを送るように要求するデータ又は測定器に対して各種の制御を行うためのデータ）を変調部６２に対して発行する。なお、制御データは、パケット形式（例えば、測定データを送るように要求するデータの場合には、メーカＩＤ、製品ＩＤ、コマンド（４４Ｈ）、データ長（０１Ｈ）、データ（０１Ｈ，０２Ｈ）、チェックサム）にて発行する。なお、ここで、データは、第一スイッチ５８が作動した場合には、０１Ｈ（脈拍数の要求を意味するデータ）、また、第二スイッチ５９が作動した場合には、０２Ｈ（移動速度の要求を意味するデータ）とする。
iii）測定データ及び制御データの送受をしない場合（初期モードの場合）には、第三セレクタ６６に対して電流出力部６３と第四セレクタ６５との間の接続を選択し、第四セレクタ６５に対して電流出力部６３と第三セレクタ６６との間の接続を選択し、及び第五セレクタ６７に対して基準電位部６４と電圧検出部６８との間の接続を選択するように制御する。また、制御データを送る場合（送信モードの場合）には、第三セレクタ６６に対して電流出力部６３と第三電極７１との間の接続を選択し、第四セレクタ６５に対して電流出力部６３と第四電極５４又は第五電極５５との間の接続を選択し、及び第五セレクタ６７に対して第四電極５４又は第五電極５５と電圧検出部６８との間の接続を選択するように制御する。また、測定データを受ける場合（受信モードの場合）には、第三セレクタ６６に対して電流出力部６３と第四セレクタ６５との間の接続を選択し、第四セレクタ６５に対して電流出力部６３と第三セレクタ６６との間の接続を選択し、及び第五セレクタ６７に対して基準電位部６４と電圧検出部６８との間の接続を選択するように制御する。
iv）入力部５７により入力された時間情報（時刻）にて設定し、その後、計時部にて計時した時間経過に従って時間情報（時刻）随時更新する。
v）表示部５６に対して、先に計時した時間情報（時刻）、測定器１から送られてきて受けた測定データ（脈拍数又は移動速度）を表示するように制御する。
【００７１】
なお、上記において、表示部５６及びマイクロコントローラ７０により、復調部６９で復調した復調信号に応じた測定データを出力する出力部７２を構成する。また、第一スイッチ５８及び第二スイッチ５９により、身体の他端部位（右手）が送信電極７５（第四電極５４又は第五電極５５）に接した際に作動する開始スイッチ７３を構成する。
【００７２】
次に、図９は実施例１としての活動情報計の操作及び動作の流れ（前半）を示すフローチャート図である。図１０は実施例１としての活動情報計の操作及び動作の流れ（後半）を示すフローチャート図である。図４は測定器１と出力器５１との間においてデータの通信を行っていないときの身体の姿勢状態を示す図である。図５は測定器１と出力器５１との間においてデータの通信を行っているときの身体の姿勢状態を示す図である。図６は、測定器１と出力器５１との間においてデータの通信を行っていないときの状態を電気的に示す等価回路図である。図７は出力器５１から測定器１へと制御データの送信を行っているときの状態を電気的に示す等価回路図であり、（ａ）は測定データとして脈拍数を要求するために第四電極を選択した状態、（ｂ）は測定データとして移動速度を要求するために第五電極を選択した状態を示す。図８は測定器１から出力器５１へと測定データの送信を行っているときの状態を電気的に示す等価回路図である。
【００７３】
なお、図６、図７及び図８において、ＢＺ３は、第三電極７１（送受信電極７４）が位置する左手首（身体の一端部位）から第二電極２０（送信電極２４）が位置する左上腕の肘側寄りまでの間におけるインピーダンスを示す。ＢＺ２は、第二電極２０（送信電極２４）が位置する左上腕の肘側寄りから第一電極１９（送受信電極２３）が位置する左上腕の肩側寄りまでの間におけるインピーダンスを示す。ＢＺ１は、第一電極１９（送受信電極２３）が位置する左上腕の肩側寄りから第四電極５４又は第五電極５５が位置する右手（身体の他端部位）までの間におけるインピーダンスを示す。ＣＺ１は、第一電極１９と左上腕の肩側寄りとの間に生じる接触インピーダンスを示す。ＣＺ２は、第二電極２０と左上腕の肘側寄りとの間に生じる接触インピーダンスを示す。ＣＺ３は、第三電極７１と左手首（身体の一端部位）との間に生じる接触インピーダンスを示す。ＣＺ４は、第四電極５４又は第五電極５５と右手（身体の他端部位）との間に生じる接触インピーダンスを示す。
【００７４】
実施例１における活動情報計は、図９及び図１０に示される流れにて動作処理をする。
【００７５】
まず、図４に示すように、被験者５００は、測定器１を左上腕に、かつ出力器５１を左手首に装着する。ここで、測定器１において、電源スイッチ４がオンされると電力供給部６では各電気系統各部に対して電力を供給する。そして、マイクロコントローラ２１では出力器５１から制御データが受け取れるように受信モードに制御する。より具体的には、マイクロコントローラ２１による制御に基づいて、第一セレクタ１４では電流出力部１２と第二セレクタ１５との間の接続を選択し、第二セレクタ１５では電流出力部１２と第一セレクタ１４との間の接続を選択し、第六セレクタ１６では基準電位部１３と電圧検出部１７との間の接続を選択する（ステップＳｍ１）。
【００７６】
続いて、測定器１において、測定部２２では脈拍数及び移動速度を測定する。より具体的には、脈拍センサ８では脈拍を圧脈波を検出し、マイクロコントローラ２１ではこの検出した圧脈波に基づいて脈拍数を演算し、記憶部９ではこの演算した脈拍数を記憶する。また、加速度センサ７では加速度を検出し、マイクロコントローラ２１ではこの検出した加速度に基づいて移動速度を演算し、記憶部９ではこの演算した移動速度を記憶する。なお、マイクロコントローラ２１ではこれら脈拍数及び移動速度の測定についての一連の処理を一定時間間隔毎に行うように制御する。また、マイクロコントローラ２１では出力器５１からの制御データの受信（第一電極１９の電位変化）を監視する（ステップＳｍ２）。
【００７７】
一方、出力器５１において、電力供給部６０では各電気系統各部に対して電力を供給する。そして、マイクロコントローラ７０では測定データ及び制御データの送受をしないように初期モードに制御する。より具体的には、マイクロコントローラ７０による制御に基づいて、第三セレクタ６６では電流出力部６３と第四セレクタ６５との間の接続を選択し、第四セレクタ６５では電流出力部６３と第三セレクタ６６との間の接続を選択し、第五セレクタ６７では基準電位部６４と電圧検出部６８との間の接続を選択する（ステップＳｏ１）。
【００７８】
続いて、出力器５１において、マイクロコントローラ７０では時間経過を計時し、この時間経過に従って時間情報（時刻）随時更新し（ステップＳｏ２）、表示部５６では随時更新した時間情報（時刻）を表示する（ステップＳｏ３）。なお、必要に応じて、入力部５７では時間情報（時刻）を入力して時間情報（時刻）の設定の修正をすることができる。
【００７９】
続いて、出力器５１において、マイクロコントローラ７０では第一スイッチ５８又は第二スイッチ５９のいずれが作動したかを判定する（ステップＳｏ４）。ここで、図５に示すように、被験者５００が右手で第四電極５４に接して第一スイッチ５８が作動した場合には（ステップＳｏ４で第一スイッチ）、図７（ａ）に示すように、マイクロコントローラ７０による制御に基づいて、第三セレクタ６６では電流出力部６３と第三電極７１との間の接続を選択し、第四セレクタ６５では電流出力部６３と第四電極５４との間の接続を選択し、第五セレクタ６７では電圧検出部６８と第四電極５４との間の接続を選択する（ステップＳｏ５）。一方、被験者５００が右手で第五電極５５に接して第二スイッチ５９が作動した場合には（ステップＳｏ４で第二スイッチ）、図７（ｂ）に示すように、マイクロコントローラ７０による制御に基づいて、第三セレクタ６６では電流出力部６３と第三電極７１との間の接続を選択し、第四セレクタ６５では電流出力部６３と第五電極５５との間の接続を選択し、第五セレクタ６７では電圧検出部６８と第五電極５５との間の接続を選択する（ステップＳｏ６）。
【００８０】
続いて、出力器５１において、発振部６１では交流信号（例えば、１０ＭＨｚの搬送波）を生成する。また、これとともに、マイクロコントローラ７０では、第一スイッチ５８が作動した場合にはパケット形式（例えば、メーカＩＤ、製品ＩＤ、コマンド（４４Ｈ）、データ長（０１Ｈ）、データ（０１Ｈ）、チェックサム）にて、また、第二スイッチ５９が作動した場合にはパケット形式（例えば、メーカＩＤ、製品ＩＤ、コマンド（４４Ｈ）、データ長（０１Ｈ）、データ（０２Ｈ）、チェックサム）にて制御データ（測定データを送るように要求するデータ）を変調部６２に対して発行する。次いで、変調部６２では、発振部６１により生成された交流信号を制御データに基づいた変調信号に変調（３８,４００ｂｐｓの振幅偏移変調によるシンボル１とシンボル０との組み合わせを基本に、データビット１の場合にはシンボル１１０、データビット０の場合にはシンボル１００としたもの。）する。次いで、電流出力部６３では変調部６２により変調された変調信号に対応した電流（例えば、シンボル１の時：３００ｍＡ、シンボル０の時：０ｍＡ）を出力する（ステップＳｏ７）。これによって、第一スイッチ５８が作動した場合には第三電極７１と第四電極５４との間の身体部位（左手首と右手との間）に電流が流れ、一方、第二スイッチ５９が作動した場合には第三電極７１と第五電極５５との間の身体部位（左手首と右手との間）に電流が流れる。
【００８１】
続いて、出力器５１において、図８に示すように、マイクロコントローラ７０による制御に基づいて、第三セレクタ６６では電流出力部６３と第四セレクタ６５との間の接続を選択し、第四セレクタ６５では電流出力部６３と第三セレクタ６６との間の接続を選択し、第五セレクタ６７では電圧検出部６８と基準電位部６４との間の接続を選択する（ステップＳｏ８）。
【００８２】
一方、測定器１において、第一電極１９ではこの際に身体に生じる電位変化を検出する。ここで、身体に生じる電位変化は、Ｖ１［Ｖ］と０［Ｖ］の振幅で発振されている場合には、ピーク・トゥ・ピーク時において、（ＢＺ１＋ＢＺ２）×Ｖ１÷（ＢＺ１＋ＢＺ２＋ＢＺ３）の電位を生じる。次いで、電圧検出部１７では基準電位部１３での基準電位と、第一電極１９により検出した身体に生じた電位変化とに基づく電圧を検出する。次いで、復調部１８では電圧検出部１７により検出した電圧を復調信号（制御データ）に復調する。次いで、マイクロコントローラ２１では制御データを取り込む（ステップＳｍ３）。
【００８３】
続いて、測定器１において、図８に示すように、マイクロコントローラ２１による制御に基づいて、第一セレクタ１４では電流出力部１２と第一電極１９との間の接続を選択し、第二セレクタ１５では電流出力部１２と第二電極２０との間の接続を選択し、第六セレクタ１６では電圧検出部１７と第二電極２０との間の接続を選択する（ステップＳｍ４）。
【００８４】
続いて、測定器１において、発振部６１では交流信号（例えば、１０ＭＨｚの搬送波）を生成する。また、これとともに、マイクロコントローラ２１では、取り込んだ制御データに従って、パケット形式（例えば、メーカＩＤ、製品ＩＤ、コマンド（４４Ｈ）、データ長、データ、チェックサム）にて測定データを変調部１１に対して発行する。次いで、変調部１１では，発振部１０により生成された交流信号を測定データに基づいた変調信号に変調（３８,４００ｂｐｓの振幅偏移変調によるシンボル１とシンボル０との組み合わせを基本に、データビット１の場合にはシンボル１１０、データビット０の場合にはシンボル１００としたもの。）する。次いで、電流出力部１２では変調部１１により変調された変調信号に対応した電流（例えば、シンボル１の時：３００ｍＡ、シンボル０の時：０ｍＡ）を常時出力する（ステップＳｍ５）。これによって、第一電極１９と第二電極２０との間の身体部位（左上腕の肘側寄りと左上腕の肩側寄りとの間）に常時電流が流れる。
【００８５】
続いて、測定器１において、第一電極１９ではこの際に身体部位（左上腕の肘側寄りと左上腕の肩側寄りとの間）に生じる電位変化を検出する。次いで、電圧検出部１７では基準電位部１３での基準電位と、第一電極１９により検出した身体部位（左上腕の肘側寄りと左上腕の肩側寄りとの間）に生じた電位変化とに基づく電圧を検出する。次いで、マイクロコントローラ２１では電圧検出部１７により検出した電圧の大きさについて判定する（ステップＳｍ６）。
【００８６】
ここで、検出した電圧の大きさが判定値未満である場合には（ステップＳｍ６でＮＯ）、マイクロコントローラ２１による制御に基づいて、ブザー５では警告音を鳴らし、ステップＳｍ５に戻る（ステップＳｍ７）。一方、検出した電圧の大きさが判定値以上である場合には（ステップＳｍ６でＹＥＳ）、マイクロコントローラ２１による制御に基づいて、ステップＳｍ１と同様に受信モードとなり（ステップＳｍ８）、ステップＳｍ２に戻って一連の処理を繰り返す。
【００８７】
一方、出力器５１において、被験者５００が右手で第４電極５４に接して第一スイッチ５８が作動、右手で第５電極５５に接して第一スイッチ５８が作動、又は右手で入力部５７を作動すると、第三電極７１ではこの際に身体部位（左上腕の肘側寄りと左上腕の肩側寄りとの間）に生じる電位変化を検出する。次いで、電圧検出部６８では基準電位部６４での基準電位と、第三電極７１により検出した身体部位に生じた電位変化とに基づく電圧を検出する。次いで、復調部６９では電圧検出部６８により検出した電圧を復調信号（測定データ）に復調する。次いで、マイクロコントローラ７０では測定データを取り込む（ステップＳｏ９）。
【００８８】
続いて、出力器５１において、マイクロコントローラ７０による制御に基づいて、表示部５６では随時更新して表示する時間情報（時刻）に加えて、測定データ（脈拍数、移動速度）を表示する（ステップＳｏ１０）。
【００８９】
続いて、出力器５１において、マイクロコントローラ７０による制御に基づいて、ステップＳｏ１と同様に初期モードとなり（ステップＳｏ１１）、ステップＳｏ２に戻って一連の処理を繰り返す。
【００９０】
以上のような実施例１における活動情報計によると、測定器１が、電流出力部１２と第一電極１９及び第二セレクタ１５との間に第一セレクタ１４を、電流出力部１２と第二電極２０及び第一セレクタ１４との間に第二セレクタ１５を、第二電極２０と電圧検出部１７及び基準電位部１３との間に第六セレクタ１６を配置し、基準電位部１３で基準電位を有するものであり、出力器５１が、電流出力部６３と第三電極７１及び第四セレクタ６５との間に第三セレクタ６６を、電流出力部６３と第四電極５４（又は第五電極５５）及び第三セレクタ６６との間に第四セレクタ６５を、第四電極５４（又は第五電極５５）と電圧検出部６８及び基準電位部６４との間に第五セレクタ６７を配置し、基準電位部６４で基準電位を有するものであって、第一セレクタ１４、第二セレクタ１５及び第六セレクタ１６が受信モードの接続関係にあるときに、第四セレクタ６５、第三セレクタ６６及び第五セレクタ６７が送信モードの接続関係となって出力器５１から測定器１に制御データを送り、第四セレクタ６５、第三セレクタ６６及び第五セレクタ６７が受信モードの接続関係にあるときに、第一セレクタ１４、第二セレクタ１５及び第六セレクタ１６が送信モードの接続関係となって測定器１から出力器５１に測定データを送ることから、環境による影響が受けにくい安定した通信が可能で、双方向に通信をできるといった利便性の高いものとなる。
【００９１】
なお、上述した実施例１では、出力器５１における送信電極７５と開始スイッチ７３は、それぞれ二つ（第四電極５４及び第五電極５５、第一スイッチ５８及び第二スイッチ５９）から成り、第四電極５４に接触することによって第一スイッチ５８が作動することによって、測定器１から出力器５１に対して測定データとして脈拍数を送り、また、第五電極５５に接触することによって第二スイッチ５９が作動することによって、測定器１から出力器５１に対して測定データとして移動速度を送るものであったが、測定器１におけるセンサの増やして多く種類の測定データ（例えば、脈拍数及び移動速度以外に体温や血圧など）を取得し、出力器５１における送信電極７５と開始スイッチ７３の数を増やすことによって、多く種類の測定データの中から必要とする特定の測定データだけについて知ることが可能となる。
【実施例２】
【００９２】
実施例２においては、身体部分間インピーダンスに基づいて生ずる電圧を検出する態様の活動情報計について、図１、図４、図５、図１１乃至図１７を用いて詳述する。なお、これらの図は、実施例１における活動情報計と形態及び機能を同じくする実施例２における活動情報計の構成部分については同じ符号を付し、また、実施例１における活動情報計と形態又は機能が異なる実施例２における活動情報計の構成部分については異なる符合を付すものである。
【００９３】
実施例２における活動情報計は、実施例１における活動情報計と同じく、図１に示すように、分離して形成し、身体を媒体として測定データ及び制御データの伝達を行う測定器１０１と出力器１５１とによって構成し、腕５０１に装着して用いるものである。
【００９４】
測定器１０１の構成について詳述する。
【００９５】
図１１は実施例２としての活動情報計における測定器の構成を示すブロック図である。図１又は図１１に示すように測定器１０１は、大別すると、ケース２と、腕５０１における左上腕に巻きつけることによってこのケース２を装着させるためのバンド３とによって構成し、活動情報（測定データ）として脈拍数と移動速度とを測定し、出力器１５１と通信を行う。
【００９６】
ケース２には、その外面に、電源スイッチ４及びブザー５を備え、また、その内部に、電子基板上に設けられた電力供給部６、加速度センサ７、記憶部９、発振部１０、変調部１１、電流出力部１２、第一セレクタ１４、第二セレクタ１５、電圧検出部１１７、復調部１８及びマイクロコントローラ１２１を備える。
【００９７】
バンド３には、その装着面に、第一電極１１９、第二電極１２０及び脈拍センサ８を備える。
【００９８】
ここで、これら測定器１０１におけるケース２及びバンド３に備わる各部について詳述する。
【００９９】
電力供給部６は、電気系統各部（電源スイッチ４、ブザー５、加速度センサ７、脈拍センサ８、記憶部９、発振部１０、変調部１１、電流出力部１２、第一電極１９、第二電極１２０、第一セレクタ１４、第二セレクタ１５、電圧検出部１１７、復調部１８、マイクロコントローラ１２１）に対して電力を供給する。
【０１００】
電源スイッチ４は、スライド式によるもので、電力供給部６から電気系統各部に対する電力供給の開始を行う。
【０１０１】
ブザー５は、測定データの送信できない可能性のある状態の場合に警告音を発生する。
【０１０２】
脈拍センサ８は、圧電式によるもので、この圧電素子により圧脈波を検出する。
【０１０３】
加速度センサ７は、半導体ピエゾ抵抗式によるもので、被験者５００が活動している時における加速度を検出する。
【０１０４】
記憶部９は、脈拍センサ８で検出した圧脈波に基づいてマイクロコントローラ１２１で求めた脈拍数と、加速度センサ７で検出した加速度に基づいてマイクロコントローラ１２１で求めた移動速度とをサンプリング毎に順次記憶する。また、マイクロコントローラ１２１おいて処理した演算・制御・計時などの諸情報について記憶する。
【０１０５】
発振部１０は、交流信号（例えば、１０ＭＨｚの搬送波）を生成する。
【０１０６】
変調部１１は、発振部１０で生成した交流信号を記憶部９で記憶した測定データに基づいた変調信号に変調する。より具体的には、変調は、３８,４００ｂｐｓの振幅偏移変調（ASK：Amplitude shift keying）によるシンボル１とシンボル０との組み合わせを基本に、データビット１の場合にはシンボル１１０、データビット０の場合にはシンボル１００とするものである。そして、変調信号は、マイクロコントローラ１２１で発行したパケット形式（例えば、メーカＩＤ、製品ＩＤ、コマンド（４４Ｈ）、データ長、データ、チェックサム）による測定データに基づくものである。
【０１０７】
電流出力部１２は、変調部１１で変調した変調信号に対応した電流（例えば、シンボル１の時：３００ｍＡ、シンボル０の時：０ｍＡ）を出力する。なお、シンボル１の時に流す電流を３００ｍＡとするのは、身体に悪い影響を与えずに、ノイズなどの影響を受けにくい大きな信号で検出可能とするためである。
【０１０８】
第一電極１１９は、バンド３を左上腕に装着した際に、肩側寄りに位置するように、バンド３の装着面に配置する。そして、第一電極１１９は、送受信電極（送信・受信兼用の電極）１２３であり、第二電極１２０と協同することによって、出力器側の電流出力部１２から身体に電流を流している際にこれが位置する身体の部分に生じる電位を検出したり、第二電極１２０と協同することによって電流出力部１２で出力した電流を身体に流したりする。
【０１０９】
第二電極１２０は、バンド３を左上腕に装着した際に、肘側寄りに位置するように、バンド３の装着面に配置する。そして、第二電極１２０は、送受信電極（送信・受信兼用の電極）１２４であり、出力器側の電流出力部１２から身体に電流を流している際にこれが位置する身体の部分に生じる電位を検出したり、第一電極１１９と協同することによって電流出力部１２により出力された電流を身体に流したりする。
【０１１０】
なお、第一電極１１９と第二電極１２０とは、図２０（ａ）に示すように、通信の向き（腕の長手方向）Ｌに、１０ｍｍ以上離した距離（配置間距離ｄ）にて配置する。発汗や毛細血管による影響で通電を起こし、通信状態に支障をきたす可能性があるためである。なお、上腕への装着が容易にできる測定器１の大きさを考慮すると、配置間距離ｄは３０ｍｍ程度とすることが好ましい。
【０１１１】
電圧検出部１１７は、第一電極１１９で検出した身体の部分に生じた電位と、第二電極１２０で検出した身体の部分に生じた電位とに基づく電圧を検出する。
【０１１２】
復調部１８は、電圧検出部１７で検出した電圧を復調信号に復調する。
【０１１３】
第一セレクタ１４は、電流出力部１２と第一電極１１９との間の接続、又は電流出力部１２と第二セレクタ１５との間の接続のいずれかを選択する。
【０１１４】
第二セレクタ１５は、電流出力部１２と第二電極１２０との間の接続、又は電流出力部１２と第一セレクタ１４との間の接続のいずれかを選択する。
【０１１５】
マイクロコントローラ１２１は、記憶部、計時部、演算部、制御部を備え、次のi）〜v）を含んだ各種の演算・判定・記憶などに関する制御などの処理を行う。
i）脈拍センサ８に対して圧脈波の検出を制御し、検出した圧脈波に基づいて脈拍数を演算し、記憶部９に対して測定データとして演算した脈拍数の記憶を制御する。
ii）加速度センサ７に対して加速度の検出を制御し、検出した加速度に基づいて移動速度を演算し、記憶部９に対して測定データとして演算した移動速度の記憶を制御する。
iii）制御データ（測定データを送るように要求するデータ又は測定器に対して各種の制御を行うためのデータ）を受信した時に、発振部１０に対して交流信号の生成を制御する。
iv）測定データを変調部１１に対して発行する。なお、測定データは、パケット形式（例えば、メーカＩＤ、製品ＩＤ、コマンド（４４Ｈ）、データ長、データ、チェックサム）にて発行する。
v）制御データを受ける場合（受信モードの場合）には、第一セレクタ１４に対して電流出力部１２と第二セレクタ１５との間の接続を選択し、及び第二セレクタ１５に対して電流出力部１２と第一セレクタ１４との間の接続を選択するように制御する。また、測定データを送る場合（送信モードの場合）には、第一セレクタ１４に対して電流出力部１２と第一電極１１９との間の接続を選択し、及び第二セレクタ１５に対して電流出力部１２と第二電極１２０との間の接続を選択するように制御する。
【０１１６】
なお、上記において、脈拍センサ８、加速度センサ７、記憶部９及びマイクロコントローラ１２１により、活動情報として脈拍数と移動速度とを測定する測定部２２を構成する。
【０１１７】
次に、出力器１５１の構成について詳述する。
【０１１８】
図１２は実施例２としての活動情報計における出力器の構成を示すブロック図である。図１又は図１２に示すように出力器１５１は、大別すると、ケース５２と、腕５０１における左手首に巻きつけることによってこのケース５２を装着させるためのバンド５３とによって構成し、普段は時間情報を表示し、被験者５００が知りたいときに、活動情報として脈拍数と移動速度とを通信により取得して表示する。
【０１１９】
ケース５２には、その外面に、入力部５７、表示部５６、第四電極１５４、第五電極１５５、第一スイッチ５８及び第二スイッチ５９を備え、また、その内部に、電子基板上に設けられた電力供給部６０、発振部６１、変調部６２、電流出力部６３、第三セレクタ６６、第四セレクタ６５、第五セレクタ１６７、第六セレクタ１７６、電圧検出部１６８、復調部６９及びマイクロコントローラ１７０を備える。
【０１２０】
バンド５３には、その装着面に、第三電極１７１を備える。
【０１２１】
ここで、これら出力器１５１におけるケース５２及びバンド５３に備わる各部について詳述する。
【０１２２】
電力供給部６０は、電気系統各部（入力部５７、表示部５６、発振部６１、変調部６２、電流出力部６３、第三電極１７１、第四電極１５４、第五電極１５５、第一スイッチ５８、第二スイッチ５９、第三セレクタ６６、第四セレクタ６５、第五セレクタ１６７、第六セレクタ１７６、電圧検出部１６８、復調部６９、マイクロコントローラ１７０）に対して電力を供給する。
【０１２３】
入力部５７は、４個のスイッチから成り、時間情報（時刻）を入力する。
【０１２４】
表示部５６は、ＬＣＤ（Liquid Crystal Display：液晶表示装置）によるもので、時間情報（時刻）、測定データ（脈拍数又は移動速度）について表示する。
【０１２５】
発振部６１は、交流信号（例えば、１０ＭＨｚの搬送波）を生成する。
【０１２６】
変調部６２は、発振部６１で生成した交流信号を制御データに基づいた変調信号に変調する。ここで、変調は、３８,４００ｂｐｓの振幅偏移変調によるシンボル１とシンボル０との組み合わせを基本に、データビット１の場合にはシンボル１１０、データビット０の場合にはシンボル１００とするものである。そして、変調信号は、マイクロコントローラ１７０で発行したパケット形式（例えば、メーカＩＤ、製品ＩＤ、コマンド（４４Ｈ）、データ長（０１Ｈ）、データ（０１Ｈ，０２Ｈ）、チェックサム）による制御データに基づくものである。
【０１２７】
電流出力部６３は、変調部６２で変調した変調信号に対応した電流（例えば、シンボル１の時：３００ｍＡ、シンボル０の時：０ｍＡ）を出力する。
【０１２８】
第三電極１７１は、バンド５３を左手首に装着した際に、バンド５３の装着面に配置する。そして、第三電極１７１は、第一送受信電極（送信・受信兼用の電極）１７４であり、測定器側の電流出力部６３から身体に電流を流している際にこれが位置する身体の部分に生じる電位を検出したり、第四電極１５４又は第五電極１５５と協同することによって電流出力部６３により出力された電流を身体に流したりする。
【０１２９】
第四電極１５４及び第五電極１５５は、バンド５３を手首に装着した際に、バンド５３の表示面（手首と接触しない箇所）に配置する。そして、第四電極１５４及び第五電極１５５は、第二送受信電極（送信・受信兼用の電極）１７５であり、測定器側の電流出力部６３から身体に電流を流している際にこれが位置する身体の部分に生じる電位を検出したり、第三電極１７１と協同することによって電流出力部６３により出力された電流を身体に流したりする。
【０１３０】
第一スイッチ５８は、第四電極１５４の下側に配置し、被験者５００の右手が第四電極１５４に接すると作動する。第二スイッチ５９は、第五電極１５５の下側に配置し、被験者５００の右手が第五電極１５５に接すると作動する。
【０１３１】
電圧検出部１６８は、第三電極１７１で検出した身体の部分に生じた電位と、第四電極１５４及び第五電極１５５で検出した身体の部分に生じた電位とに基づく電圧を検出する。
【０１３２】
復調部６９は、電圧検出部１６８で検出した電圧を復調信号に復調する。
【０１３３】
第三セレクタ６６は、電流出力部６３と第三電極１７１との間の接続、又は電流出力部６３と第四セレクタ６５との間の接続のいずれかを選択する。
【０１３４】
第四セレクタ６５は、電流出力部６３と第四電極１５４又は第五電極１５５との間の接続、又は電流出力部６３と第三セレクタ６６との間の接続のいずれかを選択する。
【０１３５】
第五セレクタ１６７は、第三電極１７１と電圧検出部１６８との間の接続、又は第三電極１７１と第六セレクタ１７６との間の接続のいずれかを選択する。
【０１３６】
第六セレクタ１７６は、第四電極１５４又は第五電極１５５と電圧検出部１６８との間の接続、又は第四電極１５４又は第五電極１５５と第五セレクタ１６７との間の接続のいずれかを選択する。
【０１３７】
マイクロコントローラ１７０は、記憶部、計時部、演算部、制御部を備え、次のi）〜v）を含んだ各種の入力・演算・判定・記憶・表示などに関する制御などの処理を行う。
i）測定データを受信した時に、発振部６１に対して交流信号の生成を制御する。
ii）第一スイッチ５８又は第二スイッチ５９のいずれが作動したかを判定して、制御データ（測定データを送るように要求するデータ又は測定器に対して各種の制御を行うためのデータ）を変調部６２に対して発行する。なお、制御データは、パケット形式（例えば、測定データを送るように要求するデータの場合には、メーカＩＤ、製品ＩＤ、コマンド（４４Ｈ）、データ長（０１Ｈ）、データ（０１Ｈ，０２Ｈ）、チェックサム）にて発行する。なお、ここで、データは、第一スイッチ５８が作動した場合には、０１Ｈ（脈拍数の要求を意味するデータ）、また、第二スイッチ５９が作動した場合には、０２Ｈ（移動速度の要求を意味するデータ）とする。
iii）測定データ及び制御データの送受をしない場合（初期モードの場合）には、第三セレクタ６６に対して電流出力部６３と第四セレクタ６５との間の接続を選択し、第四セレクタ６５に対して電流出力部６３と第三セレクタ６６との間の接続を選択し、第五セレクタ１６７に対して第六セレクタ１７６と電圧検出部１６８との間の接続を選択し、及び第六セレクタ１７６に対して第五セレクタ１６７と電圧検出部１６８との間の接続を選択するように制御する。また、制御データを送る場合（送信モードの場合）には、第三セレクタ６６に対して電流出力部６３と第三電極１７１との間の接続を選択し、第四セレクタ６５に対して電流出力部６３と第四電極１５４又は第五電極１５５との間の接続を選択し、第五セレクタ１６７に対して第三電極１７１と電圧検出部１６８との間の接続を選択し、及び第六セレクタ１７６に対して第四電極１５４又は第五電極１５５と電圧検出部１６８との間の接続を選択するように制御する。また、測定データを受ける場合（受信モードの場合）には、第三セレクタ６６に対して電流出力部６３と第四セレクタ６５との間の接続を選択し、第四セレクタ６５に対して電流出力部６３と第三セレクタ６６との間の接続を選択し、第五セレクタ１６７に対して第三電極１７１と電圧検出部１６８との間の接続を選択し、及び第六セレクタ１７６に対して第四電極１５４又は第五電極１５５と電圧検出部１６８との間の接続を選択するように制御する。
iv）入力部５７により入力された時間情報（時刻）にて設定し、その後、計時部にて計時した時間経過に従って時間情報（時刻）随時更新する。
v）表示部５６に対して、先に計時した時間情報（時刻）、測定器１０１から送られてきて受けた測定データ（脈拍数又は移動速度）を表示するように制御する。
【０１３８】
なお、上記において、表示部５６及びマイクロコントローラ１７０により、復調部６９で復調した復調信号に応じた測定データを出力する出力部７２を構成する。また、第一スイッチ５８及び第二スイッチ５９により、身体の他端部位（右手）が第二送受信電極１７５（第四電極１５４又は第五電極１５５）に接した際に作動する開始スイッチ７３を構成する。
【０１３９】
次に、図１６は実施例２としての活動情報計の操作及び動作の流れ（前半）を示すフローチャート図である。図１７は実施例２としての活動情報計の操作及び動作の流れ（後半）を示すフローチャート図である。図４は測定器１０１と出力器１５１との間においてデータの通信を行っていないときの身体の姿勢状態を示す図である。図５は測定器１０１と出力器１５１との間においてデータの通信を行っているときの身体の姿勢状態を示す図である。図１３は、測定器１０１と出力器１５１との間においてデータの通信を行っていないときの状態を電気的に示す等価回路図である。図１４は出力器１５１から測定器１０１へと制御データの送信を行っているときの状態を電気的に示す等価回路図であり、（ａ）は測定データとして脈拍数を要求するために第四電極を選択した状態、（ｂ）は測定データとして移動速度を要求するために第五電極を選択した状態を示す。図１５は測定器１０１から出力器１５１へと測定データの送信を行っているときの状態を電気的に示す等価回路図であり、（ａ）は測定データとして脈拍数の送信を行っているときの状態、（ｂ）は測定データとして移動速度の送信を行っているときの状態を示す。
【０１４０】
なお、図１３、図１４及び図１５において、ＢＺ３は、第三電極１７１（第一送受信電極１７４）が位置する左手首（身体の一端部位）から第二電極１２０（送受信電極１２４）が位置する左上腕の肘側寄りまでの間におけるインピーダンスを示す。ＢＺ２は、第二電極１２０（送受信電極１２４）が位置する左上腕の肘側寄りから第一電極１１９（送受信電極１２３）が位置する左上腕の肩側寄りまでの間におけるインピーダンスを示す。ＢＺ１は、第一電極１１９（送受信電極１２３）が位置する左上腕の肩側寄りから第四電極１５４又は第五電極１５５が位置する右手（身体の他端部位）までの間におけるインピーダンスを示す。ＣＺ１は、第一電極１１９と左上腕の肩側寄りとの間に生じる接触インピーダンスを示す。ＣＺ２は、第二電極１２０と左上腕の肘側寄りとの間に生じる接触インピーダンスを示す。ＣＺ３は、第三電極１７１と左手首（身体の一端部位）との間に生じる接触インピーダンスを示す。ＣＺ４は、第四電極１５４又は第五電極１５５と右手（身体の他端部位）との間に生じる接触インピーダンスを示す。
【０１４１】
実施例２における活動情報計は、図１６及び図１７に示される流れにて動作処理をする。
【０１４２】
まず、図１に示すように、被験者５００は、測定器１０１を左上腕に、かつ出力器１５１を左手首に装着する。ここで、測定器１０１において、電源スイッチ４がオンされると電力供給部６では各電気系統各部に対して電力を供給する。そして、マイクロコントローラ１２１では出力器１５１から制御データが受け取れるように受信モードに制御する。より具体的には、マイクロコントローラ１２１による制御に基づいて、第一セレクタ１４では電流出力部１２と第二セレクタ１５との間の接続を選択し、第二セレクタ１５では電流出力部１２と第一セレクタ１４との間の接続を選択する（ステップＰｍ１）。
【０１４３】
続いて、測定器１０１において、測定部２２では脈拍数及び移動速度を測定する。より具体的には、脈拍センサ８では脈拍を圧脈波を検出し、マイクロコントローラ１２１ではこの検出した圧脈波に基づいて脈拍数を演算し、記憶部９ではこの演算した脈拍数を記憶する。また、加速度センサ７では加速度を検出し、マイクロコントローラ１２１ではこの検出した加速度に基づいて移動速度を演算し、記憶部９ではこの演算した移動速度を記憶する。なお、マイクロコントローラ１２１ではこれら脈拍数及び移動速度の測定についての一連の処理を一定時間間隔毎に行うように制御する。また、マイクロコントローラ１２１では出力器１５１からの制御データの受信（第一電極１１９と第二電極１２０との間の電圧）を監視する（ステップＰｍ２）。
【０１４４】
一方、出力器１５１において、電力供給部６０では各電気系統各部に対して電力を供給する。そして、マイクロコントローラ１７０では測定データ及び制御データの送受をしないように初期モードに制御する。より具体的には、マイクロコントローラ１７０による制御に基づいて、第三セレクタ６６では電流出力部６３と第四セレクタ６５との間の接続を選択し、第四セレクタ６５では電流出力部６３と第三セレクタ６６との間の接続を選択し、第五セレクタ６７では第六セレクタ１７６と電圧検出部１６８との間の接続を選択し、第六セレクタ１７６では第五セレクタ６７と電圧検出部１６８との間の接続を選択する（ステップＰｏ１）。
【０１４５】
続いて、出力器１５１において、マイクロコントローラ１７０では時間経過を計時し、この時間経過に従って時間情報（時刻）随時更新し（ステップＰｏ２）、表示部５６では随時更新した時間情報（時刻）を表示する（ステップＰｏ３）。なお、必要に応じて、入力部５７では時間情報（時刻）を入力して時間情報（時刻）の設定の修正をすることができる。
【０１４６】
続いて、出力器１５１において、マイクロコントローラ１７０では第一スイッチ５８又は第二スイッチ５９のいずれが作動したかを判定する（ステップＰｏ４）。ここで、図５に示すように、被験者５００が右手で第四電極１５４に接して第一スイッチ５８が作動した場合には（ステップＰｏ４で第一スイッチ）、図１４（ａ）に示すように、マイクロコントローラ１７０による制御に基づいて、第三セレクタ６６では電流出力部６３と第三電極１７１との間の接続を選択し、第四セレクタ６５では電流出力部６３と第四電極１５４との間の接続を選択し、第五セレクタ１６７では第三電極１７１と電圧検出部１６８との間の接続を選択し、第六セレクタ１７６では第四電極１５４と電圧検出部１６８との間の接続を選択する（ステップＰｏ５）。一方、被験者５００が右手で第五電極１５５に接して第二スイッチ５９が作動した場合には（ステップＰｏ４で第二スイッチ）、図１４（ｂ）に示すように、マイクロコントローラ１７０による制御に基づいて、第三セレクタ６６では電流出力部６３と第三電極１７１との間の接続を選択し、第四セレクタ６５では電流出力部６３と第五電極１５５との間の接続を選択し、第五セレクタ６７では第三電極１７１と電圧検出部１６８との間の接続を選択し、第六セレクタ１７６では第五電極１５５と電圧検出部１６８との間の接続を選択する（ステップＰｏ６）。
【０１４７】
続いて、出力器１５１において、発振部６１では交流信号（例えば、１０ＭＨｚの搬送波）を生成する。また、これとともに、マイクロコントローラ１７０では、第一スイッチ５８が作動した場合にはパケット形式（例えば、メーカＩＤ、製品ＩＤ、コマンド（４４Ｈ）、データ長（０１Ｈ）、データ（０１Ｈ）、チェックサム）にて、また、第二スイッチ５９が作動した場合にはパケット形式（例えば、メーカＩＤ、製品ＩＤ、コマンド（４４Ｈ）、データ長（０１Ｈ）、データ（０２Ｈ）、チェックサム）にて制御データ（測定データを送るように要求するデータ）を変調部６２に対して発行する。次いで、変調部６２では、発振部６１により生成された交流信号を制御データに基づいた変調信号に変調（３８,４００ｂｐｓの振幅偏移変調によるシンボル１とシンボル０との組み合わせを基本に、データビット１の場合にはシンボル１１０、データビット０の場合にはシンボル１００としたもの。）する。次いで、電流出力部６３では変調部６２により変調された変調信号に対応した電流（例えば、シンボル１の時：３００ｍＡ、シンボル０の時：０ｍＡ）を出力する（ステップＰｏ７）。これによって、第一スイッチ５８が作動した場合には第三電極１７１と第四電極１５４との間の身体部位（左手首と右手との間）に電流が流れ、一方、第二スイッチ５９が作動した場合には第三電極１７１と第五電極１５５との間の身体部位（左手首と右手との間）に電流が流れる。
【０１４８】
続いて、出力器１５１において、図１５に示すように、マイクロコントローラ１７０による制御に基づいて、第三セレクタ６６では電流出力部６３と第四セレクタ６５との間の接続を選択し、第四セレクタ６５では電流出力部６３と第三セレクタ６６との間の接続を選択し、第五セレクタ６７では第三電極１７１と電圧検出部１６８との間の接続を選択する（ステップＰｏ８）。
【０１４９】
一方、測定器１０１において、第一電極１１９及び第二電極１２０ではそれぞれが位置する身体の部分に生じる電位を検出する。次いで、電圧検出部１１７では第一電極１１９と第二電極１２０とのそれぞれが位置する身体の部分に生じる電位差を検出する。換言すると、電圧検出部１１７では第一電極１１９により検出した身体の部分に生じた電位と第二電極１２０により検出した身体の部分に生じた電位とに基づく電圧を検出する。ここで第一電極１１９と第二電極１２０との間に生ずる電圧は、身体に流す電流をＩとすると、Ｉ×ＢＺ２の電圧が生ずる。次いで、復調部１８では電圧検出部１１７により検出した電圧を復調信号（制御データ）に復調する。次いで、マイクロコントローラ１２１では制御データを取り込む（ステップＰｍ３）。
【０１５０】
続いて、測定器１０１において、図１７に示すように、マイクロコントローラ１２１による制御に基づいて、第一セレクタ１４では電流出力部１２と第一電極１１９との間の接続を選択し、第二セレクタ１５では電流出力部１２と第二電極１２０との間の接続を選択する（ステップＰｍ４）。
【０１５１】
続いて、測定器１０１において、発振部６１では交流信号（例えば、１０ＭＨｚの搬送波）を生成する。また、これとともに、マイクロコントローラ１２１では、取り込んだ制御データに従って、パケット形式（例えば、メーカＩＤ、製品ＩＤ、コマンド（４４Ｈ）、データ長、データ、チェックサム）にて測定データを変調部１１に対して発行する。次いで、変調部１１では，発振部１０で生成した交流信号を測定データに基づいた変調信号に変調（３８,４００ｂｐｓの振幅偏移変調によるシンボル１とシンボル０との組み合わせを基本に、データビット１の場合にはシンボル１１０、データビット０の場合にはシンボル１００としたもの。）する。次いで、電流出力部１２では変調部１１で変調した変調信号に対応した電流（例えば、シンボル１の時：３００ｍＡ、シンボル０の時：０ｍＡ）を常時出力する（ステップＰｍ５）。これによって、第一電極１１９と第二電極１２０との間の身体部位（左上腕の肘側寄りと左上腕の肩側寄りとの間）に常時電流が流れる。
【０１５２】
続いて、測定器１０１において、第一電極１１９及び第二電極１２０ではそれぞれが位置する身体の部分に生じる電位を検出する。次いで、電圧検出部１１７では第一電極１１９と第二電極１２０とのそれぞれが位置する身体の部分に生じる電位差を検出する。換言すると、電圧検出部１１７では第一電極１１９で検出した身体の部分に生じた電位と第二電極１２０により検出した身体の部分に生じた電位とに基づく電圧を検出する。次いで、マイクロコントローラ１２１では電圧検出部１１７で検出した電圧の大きさについて判定する（ステップＰｍ６）。
【０１５３】
ここで、検出した電圧の大きさが判定値未満である場合には（ステップＰｍ６でＮＯ）、マイクロコントローラ１２１による制御に基づいて、ブザー５では警告音を鳴らし、ステップＰｍ５に戻る（ステップＰｍ７）。一方、検出した電圧の大きさが判定値以上である場合には（ステップＰｍ６でＹＥＳ）、マイクロコントローラ１２１による制御に基づいて、ステップＰｍ１と同様に受信モードとなり（ステップＰｍ８）、ステップＰｍ２に戻って一連の処理を繰り返す。
【０１５４】
一方、出力器１５１において、被験者５００が右手で第４電極１５４に接して第一スイッチ５８が作動、右手で第５電極１５５に接して第一スイッチ５８が作動、又は右手で入力部５７を作動すると、第三電極１７１及び第四電極１５４、又は第三電極１７１及び第五電極１５５では、それぞれが位置する身体の部分に生じる電位を検出する。次いで、電圧検出部１６８では、第三電極１７１及び第四電極１５４、又は第三電極１７１及び第五電極１５５のそれぞれが位置する身体の部分に生じる電位差を検出する。換言すると、電圧検出部１１７では第三電極１７１により検出した身体の部分に生じた電位と第四電極１５４又は第五電極１５５とのそれぞれが位置する身体の部分に生じた電位とに基づく電圧を検出する。次いで、復調部６９では電圧検出部１６８で検出した電圧を復調信号（測定データ）に復調する。次いで、マイクロコントローラ１７０では測定データを取り込む（ステップＰｏ９）。
【０１５５】
続いて、出力器１５１において、マイクロコントローラ１７０による制御に基づいて、表示部５６では随時更新して表示する時間情報（時刻）に加えて、測定データ（脈拍数、移動速度）を表示する（ステップＰｏ１０）。
【０１５６】
続いて、出力器１５１において、マイクロコントローラ１７０による制御に基づいて、ステップＰｏ１と同様に初期モードとなり（ステップＰｏ１１）、ステップＰｏ２に戻って一連の処理を繰り返す。
【０１５７】
以上のような実施例２における活動情報計によると、測定器１０１が、電流出力部１２と第一電極１１９及び第二セレクタ１５との間に第一セレクタ１４を、電流出力部１２と第二電極１２０及び第一セレクタ１４との間に第二セレクタ１５を配置し、出力器１５１が、電流出力部６３と第三電極１７１及び第四セレクタ６５との間に第三セレクタ６６を、電流出力部６３と第四電極１５４（又は第五電極１５５）及び第三セレクタ６６との間に第四セレクタ６５を、第三電極１７１と電圧検出部１６８及び第六セレクタ１７６との間に第五セレクタ１６７を、第四電極１５４（又は第五電極１５５）と電圧検出部１６８及び第五セレクタ１６７との間に第六セレクタ１７６を配置し、第一セレクタ１４及び第二セレクタ１５が受信モードの接続関係にあるときに、第三セレクタ６６、第四セレクタ６５、第五セレクタ１６７及び第六セレクタ１７６が送信モードの接続関係となって出力器１５１から測定器１０１に制御データを送り、第三セレクタ６６、第四セレクタ６５、第五セレクタ１６７及び第六セレクタ１７６が受信モードの接続関係にあるときに、第一セレクタ１４及び第二セレクタ１５が送信モードの接続関係となって測定器１０１から出力器１５１に測定データを送ることから、環境による影響が受けにくい安定した通信が可能で、双方向に通信をできるといった利便性の高いものとなる。
【０１５８】
なお、上述した実施例２では、出力器１５１における第二送受信電極１７５と開始スイッチ７３は、それぞれ二つ（第四電極１５４及び第五電極１５５、第一スイッチ５８及び第二スイッチ５９）から成り、第四電極１５４に接触することによって第一スイッチ５８が作動することによって、測定器１０１から出力器１５１に対して測定データとして脈拍数を送り、また、第五電極１５５に接触することによって第二スイッチ５９が作動することによって、測定器１０１から出力器１５１に対して測定データとして移動速度を送るものであったが、測定器１０１におけるセンサの増やして多く種類の測定データ（例えば、脈拍数及び移動速度以外に体温や血圧など）を取得し、出力器１５１における第二送受信電極１７５と開始スイッチ７３の数を増やすことによって、多く種類の測定データの中から必要とする特定の測定データだけについて知ることが可能となる。
【０１５９】
以上、本発明に係る活動情報計の実施例である。
【０１６０】
上述した実施例１又は２における活動情報計は、腕と手を電極に接することによってデータの伝達を行う形態であったが、図１８に示すような形態としてもよい。具体的には、本発明に係る活動情報計は、図１８（ａ）に示すように、実施例の測定器１又は１０１を片脚に装着し、実施例の出力器５１又は１５１の構成各部を４電極タイプの体組成計５１１に備え、４電極タイプの体組成計に有する一部の電極を実施例の第三電極７１又は１７１、第四電極５４又は１５４、第五電極５５又は１５５として兼用したり、図１８（ｂ）に示すように、実施例の測定器１又は１０１を片脚に装着し、実施例の出力器５１又は１５１の構成各部を６電極タイプの体組成計５１２に有する一部の電極を実施例の第三電極７１又は１７１、第四電極５４又は１５４、第五電極５５又は１５５として兼用したり、図１８（ｃ）に示すように、実施例の測定器１又は１０１を片腕に装着し、実施例の出力器５１又は１５１の構成各部を６電極タイプの体組成計５１２に有する一部の電極を実施例の第三電極７１又は１７１、第四電極５４又は１５４、第五電極５５又は１５５として兼用したりしても実施可能である。
【０１６１】
また、上述した図１８に示す活動情報計は、身体の一端部位と身体の他端部位とに実施例の第三電極７１又は１７１、第四電極５４又は１５４、第五電極５５又は１５５を有し、身体の一端部位と身体の他端部位との間の電流路に実施例の測定器１又は１０１を設ける形態であるが、上述した実施例１による形態の活動情報計の場合には、身体の一端部位と身体の他端部位とに実施例の第三電極７１又は１７１、第四電極５４又は１５４、第五電極５５又は１５５を有し、身体の一端部位と身体の他端部位との間の電流路に測定器１又は１０１を設けなくともよく、図１９に示すように身体の一端部位（左手首）と身体の他端部位（右手）との間の電流路の外側（大腿）に測定器を設けても実施可能である。
【０１６２】
更に、上述した実施例１又は２では、測定器１又は１０１は、活動情報として脈拍数と移動速度とを測定するものであったが、これに限られるものでない。例えば、活動情報として血圧、体温などを測定してもよい。
【０１６３】
更に、上述した実施例１又は２では、電源スイッチ４は、スライド式によるものとしたがプッシュ式その他の形式であってもよく、また、脈拍センサ８は、圧電式によるものとしたが光電式その他の形式であってもよく、加速度センサ７は、半導体ピエゾ抵抗式によるものとしたが圧電式、静電容量式その他の形式であってもよい。
【０１６４】
更に、上述した実施例１又は２では、バンド３を左上腕に装着した際に、バンド３の装着面に配置した第一電極１９又は１１９と第二電極２０又は１２０との位置関係は、図２０（ａ）に示すように、通信の向き（腕の長手方向）Ｌに、隣り合って並べたが、より好ましくは、図２０（ｂ）に示すように反する向きとした方がよい。発汗や毛細血管による影響で通電を起こし、通信状態に支障をきたす可能性があるためである。実施例１又は２で説明した第一電極１９又は１１９と第二電極２０又は１２０とを通信の向き（腕の長手方向）Ｌに、１０ｍｍ以上離した距離（配置間距離ｄ）にて配置することと組み合わせると通信状態の支障をより確実に防止することができる。
【０１６５】
更に、上述した実施例１における図９及び図１０に示される流れによる動作処理又は実施例２における図１６及び図１７に示される流れによる動作処理の説明では、出力器５１又は１５１から制御データとして測定データを送るように要求するデータを測定器１又は１０１に送信し、この送信された測定データを送るように要求するデータを受けた測定器１又は１０１が出力器５１又は１５１に測定データを送信し、この送信された測定データを受けた出力器５１又は１５１がこの測定データを表示部に表示するものであったが、電源スイッチ４がオンされると、測定器１又は１０１から測定データを常時送信し続け、被験者５００が右手で第４電極５４又は１５４に接して第一スイッチ５８が作動、右手で第５電極５５又は１５５に接して第一スイッチ５８が作動すると、この常時送信され続ける測定データを出力器５１又は１５１で受け、この受けた測定データを表示部に表示するようにすることも同様に実施可能である。
【図面の簡単な説明】
【０１６６】
【図１】活動情報計における測定器の外観を示す外観図である。（実施例１、２）
【図２】活動情報計における測定器の構成を示すブロック図である。（実施例１）
【図３】活動情報計における出力器の構成を示すブロック図である。（実施例１）
【図４】測定器と出力器との間においてデータの通信を行っていないときの身体の姿勢状態を示す図である。（実施例１、２）
【図５】測定器と出力器との間においてデータの通信を行っているときの身体の姿勢状態を示す図である。（実施例１、２）
【図６】測定器と出力器との間においてデータの通信を行っていないときの状態を電気的に示す等価回路図である。（実施例１）
【図７】出力器から測定器へと制御データの送信を行っているときの状態を電気的に示す等価回路図であり、（ａ）は測定データとして脈拍数を要求するために第四電極５４を選択した状態、（ｂ）は測定データとして移動速度を要求するために第五電極５５を選択した状態を示す。（実施例１）
【図８】測定器から出力器へと測定データの送信を行っているときの状態を電気的に示す等価回路図である。（実施例１）
【図９】活動情報計の操作及び動作の流れ（前半）を示すフローチャート図である。（実施例１）
【図１０】活動情報計の操作及び動作の流れ（後半）を示すフローチャート図である。（実施例１）
【図１１】活動情報計における測定器の構成を示すブロック図である。（実施例２）
【図１２】活動情報計における出力器の構成を示すブロック図である。（実施例２）
【図１３】測定器と出力器との間においてデータの通信を行っていないときの状態を電気的に示す等価回路図である。（実施例２）
【図１４】出力器から測定器へと制御データの送信を行っているときの状態を電気的に示す等価回路図であり、（ａ）は測定データとして脈拍数を要求するために第四電極５４を選択した状態、（ｂ）は測定データとして移動速度を要求するために第五電極５５を選択した状態を示す。（実施例２）
【図１５】測定器から出力器へと測定データの送信を行っているときの状態を電気的に示す等価回路図である。（実施例２）
【図１６】活動情報計の操作及び動作の流れ（前半）を示すフローチャート図である。（実施例２）
【図１７】活動情報計の操作及び動作の流れ（後半）を示すフローチャート図である。（実施例２）
【図１８】実施例１又は２による形態の活動情報計の変形例であり、（ａ）は両足と片脚を電極に接する形態、（ｂ）は片足と片脚と片手を電極に接する形態、（ｃ）は片足と片腕と片手を電極に接する形態とする活動情報計を用いたときにおける身体の姿勢状態を示す図である。
【図１９】実施例１による形態の活動情報計の変形例であり、片腕と片手と片脚を電極に接する形態とする活動情報計を用いたときにおける身体の姿勢状態を示す図である。
【図２０】バンドを上腕に装着した際に測定器に有する電極の位置状態について示す電極配置図であり、（ａ）は隣り合って並んで位置した状態、（ｂ）は反する向きに位置した状態を示す。
【符号の説明】
【０１６７】
１、１０１  測定器
２、５２  ケース
３、５３  バンド
４  電源スイッチ
５  ブザー
６、６０  電力供給部
７  加速度センサ
８  脈拍センサ
９  記憶部
１０、６１  発振部
１１、６２  変調部
１２、６３  電流出力部
１３、６４  基準電位部
１４  第一セレクタ
１５  第二セレクタ
１６、１７６  第六セレクタ
１７、６８、１１７、１６８  電圧検出部
１８、６９  復調部
１９、１１９  第一電極
２０、１２０  第二電極
２１、７０、１２１、１７０  マイクロコントローラ
２２  測定部
２３、７４  送受信電極
２４、７５  送信電極
５１、１５１  出力器
５４、１５４  第四電極
５５、１５５  第五電極
５６  表示部
５７  入力部
５８  第一スイッチ
５９  第二スイッチ
６５  第四セレクタ
６６  第三セレクタ
６７、１６７  第五セレクタ
７１、１７１  第三電極
７２  出力部
７３  開始スイッチ
１２３、１７４  第一送受信電極
１２４、１７５  第二送受信電極
５００  被験者（身体）
５０１  腕
５１１、５１２  体組成計
【図１】
2008211765.tif 000003
【図２】
2008211765.tif 000004
【図３】
2008211765.tif 000005
【図４】
2008211765.tif 000006
【図５】
2008211765.tif 000007
【図６】
2008211765.tif 000008
【図７】
2008211765.tif 000009
【図８】
2008211765.tif 000010
【図９】
2008211765.tif 000011
【図１０】
2008211765.tif 000012
【図１１】
2008211765.tif 000013
【図１２】
2008211765.tif 000014
【図１３】
2008211765.tif 000015
【図１４】
2008211765.tif 000016
【図１５】
2008211765.tif 000017
【図１６】
2008211765.tif 000018
【図１７】
2008211765.tif 000019
【図１８】
2008211765.tif 000020
【図１９】
2008211765.tif 000021
【図２０】
2008211765.tif 000022